(57)【要約】【課題】情報処理装置からの可搬型記憶装置の取り外し忘れを防止できるようにするとともに、可搬型記憶装置の取り扱いの利便性を向上させる。【解決手段】通信部（１７）を介して情報処理装置（３０ｅ）に接続されたことを検出する接続検出部（１２）と、この接続検出部（１２）により通信部（１７）が情報処理装置に接続されたことを検出してからの、接続状態での経過時間を測定するタイマ（１４）と、このタイマ（１４）により所定時間が経過したことを検出されたときに、可搬型記憶装置の使用者に警告を行なう警告部（１５）とをそなえる。【選択図】図１
2011034577.tif 000002
【特許請求の範囲】
【請求項１】
情報処理装置に通信可能に接続するための通信部をそなえた可搬型記憶装置であって、
当該可搬型記憶装置が該通信部を介して該情報処理装置に接続されたことを検出する接続検出部と、
該接続検出部により該通信部が該情報処理装置に接続されたことを検出してからの、接続状態での経過時間を測定するタイマと、
該タイマにより所定時間が経過したことを検出されたときに、該可搬型記憶装置の使用者に警告を行なう警告部と、
をそなえることを特徴とする、可搬型記憶装置。
【請求項２】
該警告部による警告を抑止可能な警告制御部をそなえ、
該タイマにより所定時間が経過したことを検出されたときに、該情報処理装置の使用者が該可搬型記憶装置に関する特定権限者である場合には、該警告制御部が、該警告部による警告を抑止することを特徴とする、請求項１記載の可搬型記憶装置。
【請求項３】
当該情報処理装置の使用者が前記情報処理装置に関する特定権限者であることを確認する使用者確認部をそなえることを特徴とする、請求項２記載の可搬型記憶装置。
【請求項４】
当該可搬型記憶装置が該特定権限者に関する可搬型記憶装置である場合には、該警告制御部が、該警告部による警告を抑止することを特徴とする、請求項２又は請求項３記載の可搬型記憶装置。
【請求項５】
該使用者による該情報処理装置の非使用状態への遷移を検出する非使用状態検出部をそなえ、
該非使用状態検出部が当該情報処理装置の非使用状態への遷移を検出したときに、該警告部が該警告を行なうことを特徴とする、請求項１〜請求項４のいずれか１項に記載の可搬型記憶装置。
【発明の詳細な説明】
【技術分野】
【０００１】
本発明は、例えば、ＵＳＢメモリ等の可搬型記憶装置に関する。
【背景技術】
【０００２】
近年、例えばＵＳＢ（Universal Serial Bus）メモリのような、コンピュータと接続するための接続端子（ＵＳＢコネクタ）とデータを保存可能なメモリとをそなえた可搬データ記憶装置が広く使用されている。
ユーザは、このようなＵＳＢメモリを持ち運び、出先（移動先）において、コンピュータのＵＳＢポートに、ＵＳＢメモリのコネクタ（ＵＳＢコネクタ）を挿入して接続し、このコンピュータからＵＳＢメモリ装置内のメモリにアクセスすることにより、ＵＳＢメモリ装置のメモリに対して、データの読み出しや保存，削除等を行なう。
【特許文献１】特表２００４−５１９７９１号公報
【発明の概要】
【発明が解決しようとする課題】
【０００３】
しかしながら、このような従来の情報処理装置においては、例えば、ＵＳＢメモリを接続して使用した後に、そのＵＳＢメモリをＵＳＢポートに挿したまま放置することにより、置き忘れてしまうことがある。
このように、ＵＳＢメモリを置き忘れ、紛失することにより、そのメモリに保存したデータが失われ、更に、このＵＳＢメモリに機密上重要なデータが保存されていた場合には、この機密データが漏洩するおそれもある。
【０００４】
また、このような、ＵＳＢメモリに保存されるデータの機密性を向上させるために、例えば、上記特許文献１においては、ＵＳＢメモリに指紋センサを用いた認証モジュールと不揮発性メモリとをそなえて構成する手法が開示されている。この特許文献１においては、指紋センサを用いて人の指紋を読み取り、予め登録された指紋と一致する場合に、不揮発性メモリへのアクセスを許可し、一致しない場合に、不揮発性メモリへのアクセスを拒否することにより機密保護を行なっている。
【０００５】
しかしながら、この特許文献１にかかるＵＳＢメモリにおいては、ＵＳＢメモリの置き忘れの発生を防止することはできず、又、ＵＳＢメモリに認証モジュールをそなえて構成することにより、ＵＳＢ装置の製造コストが上昇するという課題もある。
本発明は、このような課題に鑑み創案されたもので、情報処理装置からの可搬型記憶装置の取り外し忘れを防止できるようにするとともに、可搬型記憶装置の取り扱いの利便性を向上させることを目的とする。
【０００６】
なお、前記目的に限らず、後述する発明を実施するための形態に示す各構成により導かれる作用効果であって、従来の技術によっては得られない作用効果を奏することも本発明の他の目的の1つとして位置付けることができる。
【課題を解決するための手段】
【０００７】
このため、本発明の可搬型記憶装置は、情報処理装置に通信可能に接続するための通信部をそなえた可搬型記憶装置であって、当該可搬型記憶装置が該通信部を介して該情報処理装置に接続されたことを検出する接続検出部と、該接続検出部により該通信部が該情報処理装置に接続されたことを検出してからの、接続状態での経過時間を測定するタイマと、該タイマにより所定時間（第２の所定時間）が経過したことを検出されたときに、該可搬型記憶の使用者に警告を行なう警告部とをそなえることを特徴としている。
【０００８】
なお、該警告部による警告を抑止可能な警告制御部をそなえ、該タイマにより所定時間が経過したことを検出されたときに、該情報処理装置の使用者が該可搬型記憶装置に関する特定権限者である場合には、該警告制御部が、該警告部による警告を抑止してもよい。
また、当該情報処理装置の使用者が前記情報処理装置に関する特定権限者であることを確認する使用者確認部をそなえてもよい。
【０００９】
さらに、当該可搬型記憶装置が該特定権限者に関する可搬型記憶装置である場合には、該警告制御部が、該警告部による警告を抑止してもよい。
また、該使用者による該情報処理装置の非使用状態への遷移を検出する非使用状態検出部をそなえ、該非使用状態検出部が当該情報処理装置の非使用状態への遷移を検出したときに、該警告部が該警告を行なってもよい。
【発明の効果】
【００１０】
開示の可搬型記憶装置によれば、以下の少なくともいずれか１つの効果ないし利点がある。
（１）可搬型記憶装置の使用者に対して、その可搬型記憶装置を使用中であることを認識させることができ、可搬型記憶装置の置き忘れ等を防止することができる。
（２）使用者が可搬型記憶装置の電池残量が少なくなったことを知ることができ、電池残量の不足により生じる不測の事態の発生を防止することができる。
【００１１】
（３）可搬型記憶装置の信頼性を向上させることができる。
（４）電池を充電することができ、利便性が高い。
（５）信頼性を向上させることができる。
（６）データの機密性を向上させ、機密情報の漏洩を防止することができる。
（７）使用者が警告を受けて煩雑に感じることを防止することができる。
【００１２】
（８）可搬型記憶装置や情報処理装置のデータを他人に不正に使用させることがない。
【図面の簡単な説明】
【００１３】
【図１】本発明の第１実施形態としてのＵＳＢ（Universal Serial Bus）メモリの機能構成を模式的に示す図である。
【図２】本発明の第１実施形態としてのＵＳＢメモリにおける本体部のハードウェア構成を模式的に示す図である。
【図３】本発明の第１実施形態としてのＵＳＢメモリが接続されるＰＣのハードウェア構成を模式的に示す図である。
【図４】本発明の第１実施形態としてのＵＳＢメモリにおけるキャップの取り外しにかかる処理を説明するためのフローチャートである。
【図５】本発明の第１実施形態としてのＵＳＢメモリにおけるＰＣとの接続にかかる処理を説明するためのフローチャートである。
【図６】本発明の第１実施形態の第１変形例としてのＵＳＢメモリの機能構成を模式的に示す図である。
【図７】本発明の第１実施形態の第２変形例としてのＵＳＢメモリの機能構成を模式的に示す図である。
【図８】本発明の第２実施形態としてのＵＳＢ（Universal Serial Bus）メモリの機能構成を模式的に示す図である。
【図９】本発明の第２実施形態としてのＵＳＢメモリにおけるキャップの取り外しにかかる処理を説明するためのフローチャートである。
【図１０】本発明の第２実施形態としてのＵＳＢメモリにおけるＰＣとの接続にかかる処理を説明するためのフローチャートである。
【図１１】本発明の第３実施形態としてのＰＣおよびＵＳＢメモリの機能構成を模式的に示す図である。
【図１２】本発明の第４実施形態としてのＵＳＢメモリの機能構成を模式的に示す図である。
【図１３】本発明の第５実施形態としてのＵＳＢメモリおよびこのＵＳＢメモリを接続して使用するＰＣの機能構成を模式的に示す図である。
【図１４】本発明の第６実施形態としてのＵＳＢメモリおよびこのＵＳＢメモリを接続して使用するＰＣの機能構成を模式的に示す図である。
【発明を実施するための形態】
【００１４】
以下、図面を参照して本発明の実施の形態を説明する。
（Ａ）第１実施形態の説明
図１は本発明の第１実施形態としてのＵＳＢ（Universal Serial Bus）メモリの機能構成を模式的に示す図である。
本第１実施形態のＵＳＢメモリ（電子装置，可搬型記憶装置）１ａは、図１に示すように、ＵＳＢコネクタ（通信部，接続端子）１７や記憶部１１をそなえた本体部１０ａと、ＵＳＢコネクタ１７に脱着可能に構成されたキャップ（部品）２０ａとをそなえて構成され、ＵＳＢコネクタ１７を後述するＰＣ（Personal Computer；情報処理装置，コンピュータ）３０ａ（図３参照）のＵＳＢポート３１に挿入・接続することにより、ＰＣ３０ａと通信可能に接続され、このＰＣ３０ａから記憶部１１にアクセスし、データもしくはファイル（以下、単にデータという）の読み書きや消去等の処理が行なわれるものである。なお、このＵＳＢメモリ１ａは可搬型記憶装置でもある。
【００１５】
ＵＳＢメモリ１ａの本体部１０ａは、図１に示すように、記憶部１１，接続検出部１２，第１タイマ１３，第２タイマ１４，警告部１５，スイッチ１６，ＵＳＢコネクタ１７，電池残量測定部１８および電池１９をそなえて構成されている。
記憶部１１は種々のデータを読み出し可能に格納するものであり、ＵＳＢコネクタ１７は、ユニバーサルシリアルバス（Universal Serial Bus）規格に従って形成されたコネクタ（オス）であって、同じくＵＳＢ規格に従って構成されたＵＳＢポート３１（ＵＳＢコネクタ（メス）；図３参照）を備える種々の電子装置（例えば、本第１実施形態ではＰＣ３０ａ）に挿入・接続可能に構成されている。
【００１６】
接続検出部１２は、本ＵＳＢメモリ１ａの本体部１０ａがＵＳＢコネクタ１７を介してＰＣ３０ａに接続されたことを検出するものである。なお、この接続検出部１２によるＰＣ３０ａとの接続の検出は、既知の種々の手法を用いて実現することができる。又、接続検出部１２は、本ＵＳＢメモリ１ａがＰＣ３０ａに接続されたことを検出すると、第２タイマ１４に対して、その旨を伝える信号（接続検出信号）を出力するようになっている。
【００１７】
なお、以下、本ＵＳＢメモリ１ａの本体部１０ａをＵＳＢコネクタ１７を介してＰＣ３０ａに接続することを、便宜上、単に、ＵＳＢメモリ１ａをＰＣ３０ａ接続すると表現する場合がある。
キャップ２０ａは、ＵＳＢメモリ１ａの非使用時にＵＳＢコネクタ１７に装着することにより、ＵＳＢメモリ１ａおよびＵＳＢコネクタ１７を物理的や電気的な外的刺激から保護したり、ＵＳＢコネクタ１７へのゴミやホコリ等の異物の混入を防止するものであって、例えば、樹脂等の絶縁素材によって構成されている。
【００１８】
このキャップ２０ａには、ＵＳＢコネクタ１７の形状とほぼ同一に形成され、ＵＳＢコネクタ１７を挿入可能な取り付け口２０１が形成されており、この取り付け口２０１にＵＳＢコネクタ１７を嵌挿することによりＵＳＢコネクタ１７に装着されるようになっている。すなわち、キャップ２０ａは、ＵＳＢコネクタ１７に脱着可能に構成され、これにより、本体部１０ａ（ＵＳＢメモリ１ａ）に脱着可能に構成されているのである。
【００１９】
また、本第１実施形態のＵＳＢメモリ１ａにおいては、ＵＳＢコネクタ１７にキャップ２０ａを装着した際に、キャップ２０ａの一部等により、本体部１０ａのＵＳＢコネクタ１７に隣接するようにそなえられたスイッチ１６が押下されるように構成されている。
スイッチ（センサ）１６は、キャップ２０ａのＵＳＢコネクタ１７からの脱状態を検出するものであって、キャップ２０ａがＵＳＢコネクタ１７から取り外された（脱状態になった）ことを検出すると、第１タイマ１３に対して、その旨を伝える信号（脱状態検出信号）を出力するようになっている。
【００２０】
第１タイマ１３は、スイッチ１６によりキャップ２０ａの脱状態が検出されてからの、キャップ２０ａの脱状態での経過時間を測定するものであり、スイッチ１６から脱状態検出信号を受信すると計測（カウントダウン）を開始し、予め設定された所定時間（第１の所定時間）が経過した時に、後述する警告部１５に対して、その旨を通知する信号（第１所定時間検出信号）を出力するようになっている。
【００２１】
第２タイマ１４は、接続検出部１２によりＵＳＢコネクタ１７がＰＣ３０ａに接続されたことを検出してからの、接続状態での経過時間を測定するものであって、接続検出部１２から接続検出信号を受信すると計測（カウントダウン）を開始し、予め設定された所定時間（第２の所定時間）が経過した時に、後述する警告部１５に対して、その旨を通知する信号（第２所定時間検出信号）を出力するようになっている。
【００２２】
電池１９は、後述する警告部１５を始めとする、ＵＳＢメモリ１ａの本体部１０ａにおける各部に電気を供給するものであって、充電可能な充電池により構成されている。
ＵＳＢにおいては、ＵＳＢコネクタやＵＳＢケーブルを通じてコンピュータ本体から周辺機器に給電するバスパワー（ＵＳＢバスパワー）機能がそなえられており、本実施形態においても、ＵＳＢメモリ１ａ（本体部１０ａ）がＰＣ３０ａに接続された状態で、ＵＳＢコネクタ１７やＵＳＢポート３１を介して、本体部１０ａにＰＣ３０ａから電気が供給されるようになっている。
【００２３】
そして、電池１９は、ＵＳＢメモリ１ａ（本体部１０ａ）がＰＣ３０ａに接続された状態で、ＵＳＢコネクタ１７やＵＳＢポート３１を介してＰＣ３０ａから供給された電気により、自動的に充電されるようになっている。
電池残量測定部１８は、電池１９の残量（電池残量）を測定するものであり、測定された電池１９の残量を予め設定された所定量と比較し、電池残量が所定量以下であることを検出すると、後述する警告部１５に対して、その旨を通知する信号（残量検出信号）を出力するようになっている。
【００２４】
警告部１５は、ＵＳＢメモリ１ａの使用者に対して警告を行なうものであり、例えば、音や振動等、ＵＳＢメモリ１ａの使用者の五感（視覚、聴覚、触覚、味覚、嗅覚）等に刺激を与えることにより、その注意を喚起するようになっている。なお、本実施形態においては、警告部１５が、特定周波数の音（警告音）を発生させることにより使用者の聴覚に作用する警告を行なう例について説明する。
【００２５】
そして、警告部１５は、第１タイマ１３により第１の所定時間が経過したことを検出された場合に警告を行なうようになっており、具体的には、第１タイマ１３から第１所定時間検出信号を受信すると警告を行なうようになっている。
また、警告部１５は、第２タイマ１４により第２の所定時間が経過したことを検出された場合にも警告を行なうようになっており、具体的には、第２タイマ１４から第２所定時間検出信号を受信すると警告を行なうようになっている。
【００２６】
さらに、警告部１５は、電池１９の残量が所定量以下であることが検出されたときにも警告を行なうようになっており、具体的には、電池残量測定部１８から残量検出信号を受信すると警告を行なうようになっている。
なお、本第１実施形態のＵＳＢメモリ１ａにおいては、第１タイマ１３から第１所定時間検出信号を受信したとき、第２タイマ１４から第２所定時間検出信号を受信および電池１９の残量が所定量以下であることが検出されたときに、警告部１５が警告音を発生させることにより警告を行なうようになっているが、これらの各場合において発生させる警告音は、互いに同じ警告音を鳴らしても、又、互いに異なる（異なる周波数の）警告音を鳴らしてもよく、更に、いずれか一部の場合において同じ警告音を発生してもよい。
【００２７】
図２は本発明の第１実施形態としてのＵＳＢメモリ１ａにおける本体部１０ａのハードウェア構成を模式的に示す図である。
なお、図中、既述の符号と同一の符号は同一もしくは略同一の部分を示しているので、その詳細な説明は省略する。
本第１実施形態のＵＳＢメモリ１ａの本体部１０ａは、図２に示すように、マイコン１０１，ブザー回路１０８，キャップ検出スイッチ１０９，ＵＳＢコネクタ１７，電源回路１１２，充電回路１１３，電池１９およびフラッシュメモリ１１０をそなえて構成されている。
【００２８】
キャップ検出スイッチ１０９は、例えばプッシュスイッチにより構成され、ＵＳＢコネクタ１７にキャップ２０ａが装着されている状態で押下されるとともに、ＵＳＢコネクタ１７からキャップ２０ａを取り外した際に、開放されるように構成されている。そして、このキャップ検出スイッチ１０９が、図１におけるスイッチ（センサ）１６として機能するものである。なお、キャップ検出スイッチ１０９は、プッシュスイッチに限定されるものではなく、本発明の趣旨を逸脱しない範囲で種々変形して実施することができる。
【００２９】
電源回路１１２は、ＵＳＢコネクタ１７を介して供給される電気（バスパワー）や電池１９から供給される電気を、本体部１０ａにおける各部に供給する制御を行なうものである。又、電源回路１１２は、電池１９の電池残量を測定するととともに、充電回路１１３を制御して電池１９の充電を行なわせるようになっている。すなわち、この電源回路１１２が、図１における電池残量測定部１８として機能するようになっている。
【００３０】
充電回路１１３は、電源回路１１２の制御に基づいて電池１９の充電を行なうものであり、ＵＳＢコネクタ１７を介して供給される電気により電池１９の充電を行なうようになっている。
フラッシュ（ＦＬＡＳＨ）メモリ１１０は、データの消去・書き込みを自由に行なうことができる半導体メモリであって、電源を切っても格納したデータが消えないようになっており、図１に示す記憶部１１として機能するようになっている。この、フラッシュメモリ１１０は、マイコン１０１におけるフラッシュ（ＦＬＡＳＨ）メモリインターフェース１０７の制御に基づいて、データの読み出しや書き込み，消去（読み，書き，消去）等が行なわれるようになっている。
【００３１】
なお、図２に示す例においては、複数（３つ）のフラッシュメモリ１１０がそなえられた例を示しているが、これに限定されるものではなく、２以下、もしくは４以上のフラッシュメモリ１１０をそなえて構成してもよい。
マイコン１０１は、本ＵＳＢメモリ１ａにおける種々の制御を行なうものであって、集積回路として構成されており、図２に示すように、プロセッサ１０２，ＲＡＭ１０３，制御ソフトＲＯＭ１０４，タイマ１０５，ＵＳＢインターフェース１０６およびフラッシュ（ＦＬＡＳＨ）メモリインターフェース１０７をそなえて構成されている。
【００３２】
制御ソフトＲＯＭ１０４は、マイコン１０１としての機能を実現するための種々のプログラムを格納するものである。
プロセッサ１０２は、制御ソフトＲＯＭ１０４に格納されたプログラムを実行することにより、マイコン１０１としての機能を実現するための種々の制御を行なうものである。
ＲＡＭ１０３は、プロセッサ１０２がプログラムを実行する際に用いられるデータやプログラムを一時的に格納するものである。
【００３３】
タイマ１０５は、種々の時間を計測するものであり、例えばカウンタとして構成され、図１における第１タイマ１３，第２タイマ１４として機能するようになっている。
ＵＳＢインターフェース１０６は、ＰＣ３０ａとＵＳＢコネクタ１７やＵＳＢポート３１を介して通信するための種々の制御を行なうものである。又、このＵＳＢインターフェース１０６は、本ＵＳＢメモリ１ａがＵＳＢコネクタ１７を介してＰＣ３０ａのＵＳＢポート３１に接続されたことを検出するようになっており、図１における接続検出部１２として機能するようになっている。
【００３４】
フラッシュメモリインターフェース１０７は、フラッシュメモリ１１０のデータの読み出しや書き込み，消去（読み，書き，消去）等の制御を行なうものである。
ブザー回路１０８は、マイコン１０１の制御に従って所定周波数の警告音を出力する回路であり、このブザー回路１０８が、図１における警告部１５として機能するようになっている。なお、このブザー回路１０８は、既知の種々の回路を用いて実現することができる。
【００３５】
また、このブザー回路１０８は、警告音を、例えば、予め設定された所定時間出力した後に自動的に停止させてもよく、又、外部から何らかの入力が行なわれた場合に警告音の出力を停止させてもよく、本発明の趣旨を逸脱しない範囲で種々変形して実施することができる。
なお、外部からの入力としては、使用者等による何らかの入力操作であってもよく、又、例えば、ＵＳＢコネクタ１７にキャップ２０ａが取り付けられたことを検知すること等によって出力される信号の入力を含むものとする。
【００３６】
また、本ＵＳＢメモリ１ａは電池１９から本体部１０ａにおける各部への電気の供給のオン／オフ（電源投入／電源断）を制御するための電源スイッチをそなえている。なお、本実施形態においては、例えば、スイッチ１６（キャップ検出スイッチ１０９）にこの電源スイッチとしての機能をそなえさせ、キャップ２０ａがＵＳＢコネクタ１７から脱状態になったことを検出することにより、電源投入を行なうことが望ましい。
【００３７】
また、スイッチ１６（キャップ検出スイッチ１０９）に電源スイッチとして機能させる代わりに、別途電源スイッチをそなえてもよい。
図３は本発明の第１実施形態としてのＵＳＢメモリ１ａが接続されるＰＣ３０ａのハードウェア構成を模式的に示す図である。
ＰＣ（情報処理装置）３０ａは、この図３に示すように、ＣＰＵ３０１，ＲＯＭ３０２，ＲＡＭ３０３，ディスプレイ３０４，ＨＤＤ３０５，キーボード３０６，マウス３０７，ＵＳＢコントローラ３０８およびＵＳＢポート（ＵＳＢコネクタ，接続部）３１をそなえて構成されている。
【００３８】
ＣＰＵ（Central Processing Unit）３０１は、ＨＤＤ３０５やＲＯＭ３０２に格納されたプログラムを実行することにより種々の演算処理を行なうものであり、ＰＣ３０ａにおける種々の制御を行なうようになっている。
ＲＯＭ（Read Only Memory）３０２は、ＣＰＵ３０１によって用いられるプログラムやデータを格納するものであり、ＲＡＭ（Random Access Memory）３０３は、ＣＰＵ３０１によって用いられるプログラムやデータを一時的に格納するものである。
【００３９】
ディスプレイ３０４は種々の情報を表示する表示装置であり、ＨＤＤ（Hard Disk Drive）３０５は、種々のプログラムやデータを格納・保存する記憶装置である。キーボード３０６およびマウス３０７は、オペレータが種々の入力や選択操作を行なうための入力装置である。
ＵＳＢポート３１は、ユニバーサルシリアルバス（Universal Serial Bus）規格に従って形成されたコネクタ（ＵＳＢコネクタ，メス）であって、ＵＳＢの規格に従って形成された種々のＵＳＢ機器のＵＳＢコネクタを接続することができるようになっており、本ＵＳＢメモリ１ａのＵＳＢコネクタ１７が脱着自在に挿入・接続されるようになっている。
【００４０】
ＵＳＢコントローラ３０８は、ＵＳＢポート３１を介して接続されるＵＳＢ機器（ＵＳＢメモリ１ａ）との間の通信を制御するものである。
上述のごとく構成された本発明の第１実施形態としてのＵＳＢメモリ１ａにおけるキャップ２０ａの取り外しにかかる処理を、図４に示すフローチャート（ステップＡ１０〜Ａ５０）に従って説明する。
【００４１】
ＵＳＢメモリ１ａにおいて、使用者がＵＳＢコネクタ１７からキャップ２０ａを取り外すと、キャップ検出スイッチ１０９（スイッチ１６）がこれを検出し（検出ステップ）、ＵＳＢメモリ１ａの本体部１０ａに電源が投入されるとともに、本体部１０ａにおける各部の初期化処理が行なわれる（ステップＡ１０）。
また、キャップ検出スイッチ１０９によりキャップ２０ａの脱状態が検出されると（ステップＡ２０のＹＥＳルート参照）、タイマ１０５（第１タイマ１３）により、キャップ２０ａの脱状態での経過時間が測定（カウントダウン）される（第１測定ステップ；ステップＡ３０）。
【００４２】
そして、タイマ１０５は、予め設定された第１の所定時間が経過したか、すなわち、時間切れになったか否かを判断し（ステップＡ４０）、第１の所定時間を経過していない場合には（ステップＡ４０のＮＯルート参照）、ステップＡ２０に戻る。一方、第１の所定時間が経過した場合には（ステップＡ４０のＹＥＳルート参照）、タイマ１０５は、ブザー回路１０８（警告部１５）に対して第１所定時間検出信号を出力し、ブザー回路１０８が所定の警告音を出力することにより、使用者に対して警告を行ない（第１警告ステップ；ステップＡ５０）、処理を終了する。
【００４３】
また、キャップ検出スイッチ１０９により、キャップ２０ａがＵＳＢコネクタ１７に取り付けられたこと（着状態）が検出されると（ステップＡ２０のＮＯルート参照）、処理を終了する。
次に、本発明の第１実施形態としてのＵＳＢメモリ１ａにおけるＰＣ３０ａとの接続にかかる処理を、図５に示すフローチャート（ステップＢ１０〜Ｂ７０）に従って説明する。
【００４４】
ＵＳＢメモリ１ａにおいて、使用者がＵＳＢコネクタ１７からキャップ２０ａを取り外すと、キャップ検出スイッチ１０９がこれを検出し、ＵＳＢメモリ１ａの本体部１０ａに電源が投入されるとともに、本体部１０ａにおける各部の初期化処理が行なわれる（ステップＢ１０）。
そして、ＵＳＢインターフェース１０６（接続検出部１２）により、本体部１０ａがＵＳＢコネクタ１７を介してＰＣ３０ａのＵＳＢポート３１に接続（ＵＳＢ接続）されたことが検出されると（ステップＢ２０のＹＥＳルート参照）、タイマ１０５（第２タイマ１４）により、ＵＳＢコネクタ１７がＰＣ３０ａに接続された状態での経過時間が測定（カウントダウン）される（第２測定ステップ；ステップＢ３０）。
【００４５】
タイマ１０５（第２タイマ１４）は、予め設定された第２の所定時間が経過したか、すなわち、時間切れになったか否かを判断し（ステップＢ４０）、第２の所定時間を経過していない場合には（ステップＢ４０のＮＯルート参照）、ＰＣ３０ａからの、フラッシュメモリ１１０（記憶部１１）に対するデータの読み出しや書き込み、削除等のアクセス要求を待つ（ステップＢ６０）。
【００４６】
ＰＣ３０ａからアクセス要求があった場合には（ステップＢ６０のＹＥＳルート参照）、フラッシュメモリインターフェース１０７が、その要求に従ってフラッシュメモリ１１０に対する読み書き等の処理を行ない（ステップＢ７０）、ステップＢ３０に戻る。
また、第２の所定時間が経過した場合には（ステップＢ４０のＹＥＳルート参照）、タイマ１０５は、ブザー回路１０８（警告部１５）に対して第２所定時間検出信号を出力し、この第２所定時間検出信号を受けたブザー回路１０８が、所定の警告音を出力することにより、使用者に対して警告を行ない（第２警告ステップ；ステップＢ５０）、ステップＢ６０に移行する。
【００４７】
また、ＰＣ３０ａからアクセス要求が無い場合には（ステップＢ６０のＮＯルート参照）、ステップＢ３０に戻る。
このように、本発明の第１実施形態としてのＵＳＢメモリ１ａによれば、キャップ２０ａをＵＳＢコネクタ１７から取り外してから第１の所定時間が経過した時に、警告部１５が、本ＵＳＢメモリ１ａの使用者に対して警告を行なうので、ＵＳＢメモリ１ａの使用者に対して、ＵＳＢメモリ１ａを使用中であることを認識させることができ、例えば、ＵＳＢメモリ１ａをＰＣ３０ａに挿したまま放置することを防止し、ＵＳＢメモリ１ａの置き忘れの発生を防止することができる。
【００４８】
また、ＵＳＢメモリ１ａをＵＳＢコネクタ１７およびＵＳＢポート３１を介してＰＣ３０ａに接続した状態で第２の所定時間が経過した時に、警告部１５が、本ＵＳＢメモリ１ａの使用者に対して警告を行なうので、これによっても、ＵＳＢメモリ１ａの使用者に対して、ＵＳＢメモリ１ａを使用中であることを認識させることができ、ＵＳＢメモリ１ａをＰＣ３０ａに挿したまま放置することを防止し、ＵＳＢメモリ１ａの置き忘れの発生を防止することができる。
【００４９】
さらに、電池１９の残量が所定量以下であることが検出されたときにも、警告部１５が本ＵＳＢメモリ１ａの使用者に対して警告を行なうので、使用者は、電池１９の電池残量が残り少ないことを知ることができ、ＵＳＢメモリ１ａを充電させることができるので、ＵＳＢメモリ１ａの電池残量不足により、本体部１０ａにおける各部が機能できないといった状況の発生を未然に阻止することができる。これにより、ＵＳＢメモリ１ａの信頼性を向上させることができる。
【００５０】
また、ＵＳＢメモリ１ａをＵＳＢコネクタ１７およびＵＳＢポート３１を介してＰＣ３０ａに接続している間に、ＵＳＢバスパワーにより電池１９の充電を自動的に行なうことにより、電池１９の残量不足を解消することができ、ＵＳＢメモリ１ａの信頼性を向上させることができるとともに利便性が高い。
（Ｂ）第１実施形態の第１変形例の説明
図６は本発明の第１実施形態の第１変形例としてのＵＳＢメモリ１ｂの機能構成を模式的に示す図である。
【００５１】
本第１変形例のＵＳＢメモリ（電子装置，可搬型記憶装置）１ｂも、第１実施形態のＵＳＢメモリ１ａと同様に、ＵＳＢコネクタ１７をＰＣ３０ａ（図３参照）のＵＳＢポート３１に挿入・接続することにより、ＰＣ３０ａと通信可能に接続され、このＰＣ３０ａから記憶部１１にアクセスしデータの読み書きや消去が行なわれるものであり、図６に示すように、ＵＳＢコネクタ（通信部，接続端子）１７や記憶部１１をそなえた本体部１０ｂと、ＵＳＢコネクタ１７（本体部１０ｂ）に脱着可能に構成されたキャップ（部品）２０ｂとをそなえて構成されている。
【００５２】
そして、本第１変形例のＵＳＢメモリ１ｂは、図６に示すように、本体部１０ｂが、記憶部１１，接続検出部１２，第２タイマ１４，警告部１５−１，ＵＳＢコネクタ１７，電池残量測定部１８−１および電池１９−１をそなえて構成されるとともに、キャップ２０ｂが、スイッチ（センサ）１６，第１タイマ１３，警告部１５−２，電池１９−２および電池残量測定部１８−２をそなえて構成されている。
【００５３】
なお、図中、既述の符号と同一の符号は同一もしくは略同一の部分を示しているので、その詳細な説明は省略する。
また、本第１変形例のＵＳＢメモリ１ｂの本体部１０ｂのハードウェア構成においては、図２におけるキャップ検出スイッチ１０９がキャップ２０ｂにそなえられる他は、第１実施形態のＵＳＢメモリ１ａの本体部１０ａと同様に構成されている。又、キャップ部２０ｂにおいては、図２におけるキャップ検出スイッチ１０９の他、タイマ１０５，電源回路１１２，充電回路１１３，電池１９およびブザー回路１０８をそなえて構成されている。
【００５４】
警告部１５−１，１５−２は、いずれも第１実施形態のＵＳＢメモリ１ａにおける警告部１５と同一もしくは略同一に構成され、ブザー回路１０８によって実現されるものである。又、本体部１０ｂにそなえられた警告部１５−１は、第１実施形態のＵＳＢメモリ１ａにおける警告部１５と同様に、第２タイマ１４から第２所定時間検出信号を受信した場合や、電池残量測定部１８−１から残量検出信号を受信した場合に警告を行なうようになっている。
【００５５】
一方、キャップ部２０ｂにそなえられた警告部１５−２は、第１実施形態のＵＳＢメモリ１ａにおける警告部１５と同様に、第１タイマ１３から第１所定時間検出信号を受信すると警告を行なうようになっている。
電池残量測定部１８−１，１８−２は、いずれも第１実施形態のＵＳＢメモリ１ａにおける電池残量測定部１８と同一もしくは略同一に構成され、電源回路１１２によって実現されるものである。電池残量測定部１８−１は、電池１９−１の電池残量を測定し、電池残量が所定量以下となったことを検出すると、警告部１５−１に対して残量検出信号を出力するようになっている。又、電池残量測定部１８−２は、電池１９−２の電池残量を測定し、電池残量が所定量以下となったことを検出すると、警告部１５−２に対して残量検出信号を出力するようになっている。
【００５６】
電池１９−１，１９−２は、いずれも第１実施形態のＵＳＢメモリ１ａにおける電池１９と同一もしくは略同一に構成され、電池１９−１は本体部１０ｂにそなえられた各部に電気を供給するものであり、電池１９−２は、キャップ２０ｂにそなえられた各部に電気を供給するものである。
また、本第１変形例のＵＳＢメモリ１ｂにおいては、キャップ２０ｂにおけるＵＳＢコネクタ１７への取り付け口２０１において、キャップ２０ｂにおける電池１９−２や電源回路１１２，充電回路１１３に電気的に接続された電極１９１がそなえられており、キャップ２０ｂを本体部１０ｂのＵＳＢコネクタ１７に取り付けることにより、本体部１０ｂの電源回路１１２や充電回路１１３，電池１９−１が、この電極１９１を介してキャップ２０ｂにそなえられた電源回路１１２や充電回路１１３，電池１９−２に接続されるようになっている。
【００５７】
すなわち、本第１変形例のＵＳＢメモリ１ｂにおいては、キャップ２０ｂをＵＳＢコネクタ１７に取り付けた状態でキャップ２０ｂと本体部１０ｂにそなえられた電池１９−１とが電気的に接続可能に構成されているのである。
そして、キャップ２０ｂを本体部１０ｂ（ＵＳＢコネクタ１７）に取り付けることにより、本体部１０ｂの電源回路１１２が、電極１９１を介してキャップ２０にそなえられた電源回路１１２および充電回路１１３に接続されると、本体部１０ｂの電池１９−１から、電極１９１を介してキャップ２０ｂの充電回路１１３に電流が供給され、この充電回路１１３が、本体部１０ｂの電池１９−１から供給される電流により、キャップ２０ｂにそなえられた電池１９−２の充電を行なうようになっている。
【００５８】
すなわち、本第１変形例のＵＳＢメモリ１ｂにおいては、キャップ２０ｂにそなえられた電池１９−２が、キャップ２０ｂをＵＳＢコネクタ１７に取り付けた状態で、本体部１０ｂにそなえられた電池１９−１から供給される電気により充電されるようになっている。
上述の如く構成された、本発明の第１実施形態の第１変形例としてのＵＳＢメモリ１ｂにおいては、本体部１０ｂのＵＳＢコネクタ１７からキャップ２０ｂを取り外し、ＵＳＢコネクタ１７をＰＣ３０ａのＵＳＢポート３１に挿入・接続することにより、記憶部１１とＰＣ３０ａとの間でデータの読み出しや書き込み，消去等の処理が行なわれる。
【００５９】
なお、この際、本体部１０ｂの電池１９−１は、ＵＳＢコネクタ１７を介してＵＳＢバスパワーによって供給される電気により充電される。
また、キャップ２０ｂにおいて、スイッチ（センサ）１６が、キャップ２０ｂがＵＳＢコネクタ１７から取り外された（脱状態になった）ことを検出すると（検出ステップ）、第１タイマ１３に対して、その旨を伝える信号（脱状態検出信号）を出力する。
【００６０】
その後、第１タイマ１３は、スイッチ１６から脱状態検出信号を受信すると計測（カウントダウン）を開始し（第１測定ステップ）、予め設定された所定時間（第１の所定時間）が経過した時に、警告部１５−２に対して、その旨を通知する信号（第１所定時間検出信号）を出力する。この際、所定時間検出信号を受信した警告部１５−２は、所定の周波数の警告音を発生させることにより警告を行なう（第１警告ステップ）。
【００６１】
また、電池残量測定部１８−２は、電池１９−２の残量（電池残量）を測定し、この電池残量が所定量以下であることを検出した場合に、警告部１５―２に対して残量検出信号を出力し、警告部１５−２は、電池残量が少ない旨を通知する警告を行なう。
一方、本体部１０ｂにおいては、接続検出部１２が、本体部１０ｂがＵＳＢコネクタ１７を介してＰＣ３０ａに接続されたことを検出すると、第２タイマ１４に対して、その旨を伝える信号（接続検出信号）を出力する。
【００６２】
接続検出部１２から接続検出信号を受信した第２タイマ１４は、計測（カウントダウン）を開始し（第２測定ステップ）、予め設定された所定時間（第２の所定時間）が経過した時に、警告部１５−１に対して、その旨を通知する信号（第２所定時間検出信号）を出力する。この際、第２所定時間検出信号を受信した警告部１５−１は、所定の周波数の警告音を発生させることにより警告を行なう（第２警告ステップ）。
【００６３】
また、電池残量測定部１８−１は、電池１９−１の残量（電池残量）を測定し、この電池残量が所定量以下であることを検出した場合に、警告部１５―１に対して残量検出信号を出力し、警告部１５−１は、電池残量が少ない旨を通知する警告を行なう。
使用者が本体部１０ｂのＵＳＢコネクタ１７にキャップ２０ｂを取り付けると、キャップ２０ｂにそなえられた電池１９−２が、本体部１０ｂにそなえられた電池１９−１から供給される電気により充電される。
【００６４】
このように、本発明の第１実施形態の第１変形例としてのＵＳＢメモリ１ｂによれば、上述した第１実施形態と同様の作用効果を得ることができる他、キャップ２０ｂにそなえられた電池１９−２が、キャップ２０ｂをＵＳＢコネクタ１７に取り付けた状態で、本体部１０ｂにそなえられた電池１９−１から供給される電気により充電されるので、キャップ２０ｂにそなえられた電池１９−２にも充電を行なうことができ利便性が高い。
【００６５】
（Ｃ）第１実施形態の第２変形例の説明
図７は本発明の第１実施形態の第２変形例としてのＵＳＢメモリ１ｃの機能構成を模式的に示す図である。
本第２変形例のＵＳＢメモリ（電子装置，可搬型記憶装置）１ｃも、第１実施形態のＵＳＢメモリ１ａと同様に、ＵＳＢコネクタ（通信部，接続端子）１７をＰＣ３０ａ（図３参照）のＵＳＢポート３１に挿入・接続することにより、ＰＣ３０ａと通信可能に接続され、このＰＣ３０ａから、記憶部１１にデータの読み書きや消去が行なわれるものであり、図７に示すように、第１実施形態のＵＳＢメモリ１ａの本体部１０ａと同様に構成された本体部１０ｃと、第１実施形態の第１変形例のＵＳＢメモリ１ｂのキャップ２０ｂと同様に構成され、ＵＳＢコネクタ１７に脱着可能に構成されたキャップ（部品）２０ｃとをそなえて構成されている。
【００６６】
なお、図中、既述の符号と同一の符号は同一もしくは略同一の部分を示しているので、その詳細な説明は省略する。
スイッチ１６−１，１６−２は、いずれもキャップ２０ｃのＵＳＢコネクタ１７からの脱状態を検出するものであり、第１実施形態のスイッチ１６と同一もしくは略同一に構成され、キャップ検出スイッチ１０９によって実現されるものである。
【００６７】
第１タイマ１３−１は、スイッチ１６−１によりキャップ２０ｃの脱状態が検出されてからの、キャップ２０ｃの脱状態での経過時間を測定するものであり、第１タイマ１３−２は、スイッチ１６−２によりキャップ２０ｃの脱状態が検出されてからの、キャップ２０ｃの脱状態での経過時間を測定するものである。
また、これらの第１タイマ１３−１，１３−２は、いずれも第１実施形態の第１タイマ１３と同一もしくは略同一に構成されるものである。
【００６８】
上述の如く構成された、本発明の第１実施形態の第２変形例としてのＵＳＢメモリ１ｃにおいては、本体部１０ｃのＵＳＢコネクタ１７からキャップ２０ｃを取り外し、ＵＳＢコネクタ１７をＰＣ３０ａのＵＳＢポート３１に挿入・接続することにより、記憶部１１とＰＣ３０ａとの間でデータの読み出しや書き込み，消去等の処理が行なわれる。
なお、この際、本体部１０ｃの電池１９−１は、ＵＳＢコネクタ１７を介してＵＳＢバスパワーによって供給される電気により充電される。
【００６９】
また、キャップ２０ｃにおいて、スイッチ（センサ）１６−２が、キャップ２０ｃがＵＳＢコネクタ１７から取り外された（脱状態になった）ことを検出すると（検出ステップ）、第１タイマ１３−２に対して、その旨を伝える信号（脱状態検出信号）を出力する。
その後、第１タイマ１３−２は、スイッチ１６−２から脱状態検出信号を受信すると計測（カウントダウン）を開始し（第１測定ステップ）、予め設定された所定時間（第１の所定時間）が経過した時に、警告部１５−２に対して、その旨を通知する信号（第１所定時間検出信号）を出力する。この際、所定時間検出信号を受信した警告部１５−２は、所定の周波数の警告音を発生させることにより警告を行なう（第１警告ステップ）。
【００７０】
また、電池残量測定部１８−２は、電池１９−２の残量（電池残量）を測定し、この電池残量が所定量以下であることを検出した場合に、警告部１５―２に対して残量検出信号を出力し、警告部１５−２は、電池残量が少ない旨を通知する警告を行なう。
一方、本体部１０ｃにおいても、スイッチ（センサ）１６−１が、キャップ２０ｃがＵＳＢコネクタ１７から取り外された（脱状態になった）ことを検出すると（検出ステップ）、第１タイマ１３−１に対して、その旨を伝える信号（脱状態検出信号）を出力する。
【００７１】
スイッチ１６−１から脱状態検出信号を受信した第１タイマ１３−１は、計測（カウントダウン）を開始し（第１測定ステップ）、予め設定された所定時間（第１の所定時間）が経過した時に、警告部１５−１に対して、その旨を通知する信号（第１所定時間検出信号）を出力する。この際、所定時間検出信号を受信した警告部１５−１は、所定の周波数の警告音を発生させることにより警告を行なう（第１警告ステップ）。
【００７２】
また、本体部１０ｃにおいては、接続検出部１２が、本体部１０ｃがＵＳＢコネクタ１７を介してＰＣ３０ａに接続されたことを検出すると、第２タイマ１４に対して、その旨を伝える信号（接続検出信号）を出力する。
接続検出部１２から接続検出信号を受信した第２タイマ１４は、計測（カウントダウン）を開始し（第２測定ステップ）、予め設定された所定時間（第２の所定時間）が経過した時に、警告部１５−１に対して、その旨を通知する信号（第２所定時間検出信号）を出力する。この際、第２所定時間検出信号を受信した警告部１５−１は、所定の周波数の警告音を発生させることにより警告を行なう（第２警告ステップ）。
【００７３】
また、電池残量測定部１８−１は、電池１９−１の残量（電池残量）を測定し、この電池残量が所定量以下であることを検出した場合に、警告部１５―１に対して残量検出信号を出力し、警告部１５−１は、電池残量が少ない旨を通知する警告を行なう。
使用者が本体部１０ｃのＵＳＢコネクタ１７にキャップ２０ｃを取り付けると、キャップ２０ｃにそなえられた電池１９−２が、本体部１０ｃにそなえられた電池１９−１から供給される電気により充電される。
【００７４】
このように、本発明の第１実施形態の第２変形例としてのＵＳＢメモリ１ｃによれば、上述した第１実施形態および第１実施形態の第１変形例と同様の作用効果を得ることができる他、キャップ２０ｃにも警告部１５−２をそなえ、この警告部１５−２からも警告を行なうので、使用者がより確実に警告を受けることができ、信頼性を向上させることができる。
【００７５】
（Ｄ）第２実施形態の説明
図８は本発明の第２実施形態としてのＵＳＢ（Universal Serial Bus）メモリの機能構成を模式的に示す図である。
本第２実施形態のＵＳＢメモリ（電子装置，可搬型記憶装置）１ｄも、第１実施形態のＵＳＢメモリ１ａと同様に、ＵＳＢコネクタ（通信部，接続端子）１７をＰＣ３０ａ（図３参照）のＵＳＢポート３１に挿入・接続することにより、ＰＣ３０ａと通信可能に接続され、このＰＣ３０ａから、記憶部１１にデータの読み書きや消去が行なわれるものであり、図８に示すように、ＵＳＢコネクタ１７や記憶部１１をそなえた本体部１０ｄと、第１実施形態のＵＳＢメモリ１ａにおけるキャップ２０ａと同様に構成され、ＵＳＢコネクタ１７に脱着可能に構成されたキャップ（部品）２０ｄとをそなえて構成されている。
【００７６】
本第２実施形態のＵＳＢメモリ１ｄは、図８に示すように、第１実施形態のＵＳＢメモリ１ａの警告部１５および電池残量測定部１８に代えて削除部２１をそなえるものであり、その他の部分は第１実施形態のＵＳＢメモリ１ａと同様に構成されている。
削除部２１は、記憶部１１に格納されたデータを削除（消去）するものであって、第１タイマ１３により第３の所定時間（第１の所定時間）が経過したことを検出された場合に、記憶部１１に格納されたデータを削除するようになっている。
【００７７】
また、削除部２１は、第２タイマ１４により第４の所定時間（第２の所定時間）が経過したことを検出された場合にも、記憶部１１に格納されたデータを削除するようになっている。
なお、削除部２１は、例えば、図２におけるフラッシュメモリインターフェース１０７によって実現される。又、削除部２１は、フラッシュメモリ１１０（記憶部１１）に格納されている全てのデータを削除してもよく、又、特定のデータのみを削除してもよい。削除部２１に特定のデータのみを削除させるためには、削除対象もしくは非削除対象を示す設定（フラグ）をそのデータに設定したり、コンピュータのＯＳ（Operating System）等が有するデータ保護機能を用いて、削除を希望しないデータに対して削除を禁止する設定を行なうことにより実現することができる。
【００７８】
電池１９は、ＵＳＢメモリ１ｄ（本体部１０ｄ）がＰＣ３０ａに接続された状態で、ＵＳＢコネクタ１７やＵＳＢポート３１を介してＰＣ３０ａから供給された電気により、自動的に充電されるようになっている。
上述のごとく構成された本発明の第２実施形態としてのＵＳＢメモリ１ｄにおけるキャップ２０ｄの取り外しにかかる処理を、図９に示すフローチャート（ステップＣ１０〜Ｃ５０）に従って説明する。
【００７９】
ＵＳＢメモリ１ｄにおいて、使用者がＵＳＢコネクタ１７からキャップ２０ｄを取り外すと、キャップ検出スイッチ１０９（スイッチ１６）がこれを検出し（検出ステップ）、ＵＳＢメモリ１ｄの本体部１０ｄに電源が投入されるとともに、本体部１０ｄにおける各部の初期化処理が行なわれる（ステップＣ１０）。
また、キャップ検出スイッチ１０９によりキャップ２０ｄの脱状態が検出されると（ステップＣ２０のＹＥＳルート参照）、タイマ１０５（第１タイマ１３）により、キャップ２０ｄの脱状態での経過時間が測定（カウントダウン）される（第１測定ステップ；ステップＣ３０）。
【００８０】
そして、タイマ１０５（第１タイマ１３）は、予め設定された第３の所定時間が経過したか、すなわち、時間切れになったか否かを判断し（ステップＣ４０）、第３の所定時間を経過していない場合には（ステップＣ４０のＮＯルート参照）、ステップＣ２０に戻り、第３の所定時間を経過した場合には（ステップＣ４０のＹＥＳルート参照）、フラッシュメモリインターフェース１０７（削除部２１）に対して第３所定時間検出信号を出力する。フラッシュメモリインターフェース１０７は、フラッシュメモリ１１０（記憶部１１）に格納されたデータを削除して（第１削除ステップ；ステップＣ５０）、処理を終了する。
【００８１】
また、キャップ検出スイッチ１０９により、キャップ２０ｄがＵＳＢコネクタ１７に取り付けられたこと（着状態）が検出されると（ステップＣ２０のＮＯルート参照）、処理を終了する。
次に、本発明の第２実施形態としてのＵＳＢメモリ１ｄにおけるＰＣ３０ａとの接続にかかる処理を、図１０に示すフローチャート（ステップＤ１０〜Ｄ７０）に従って説明する。
【００８２】
ＵＳＢメモリ１ｄにおいて、使用者がＵＳＢコネクタ１７からキャップ２０ｄを取り外すと、キャップ検出スイッチ１０９がこれを検出し、ＵＳＢメモリ１ｄの本体部１０ｄに電源が投入されるとともに、本体部１０ｄにおける各部の初期化処理が行なわれる（ステップＤ１０）。
そして、ＵＳＢインターフェース１０６（接続検出部１２）によりＵＳＢコネクタ１７を介して本体部１０ｄがＰＣ３０ａのＵＳＢポート３１に接続（ＵＳＢ接続）されたことが検出されると（ステップＤ２０のＹＥＳルート参照）、タイマ１０５（第２タイマ１４）により、ＵＳＢコネクタ１７がＰＣ３０ａに接続された状態での経過時間が測定（カウントダウン）される（第２測定ステップ；ステップＤ３０）。
【００８３】
タイマ１０５（第２タイマ１４）は、予め設定された第４の所定時間が経過したか、すなわち、時間切れになったか否かを判断し（ステップＤ４０）、第４の所定時間を経過していない場合には（ステップＤ４０のＮＯルート参照）、ＰＣ３０ａからの、フラッシュメモリ１１０（記憶部１１）に対するデータの読み出しや書き込み、削除等のアクセス要求を待つ（ステップＤ６０）。
【００８４】
ＰＣ３０ａからアクセス要求があった場合には（ステップＤ６０のＹＥＳルート参照）、フラッシュメモリインターフェース１０７が、その要求に従ってフラッシュメモリ１１０に対する読み書き等の処理を行ない（ステップＤ７０）、ステップＤ３０に戻る。
また、第４の所定時間を経過した場合には（ステップＤ４０のＹＥＳルート参照）、タイマ１０５は、フラッシュメモリインターフェース１０７（削除部２１）に対して、第４時間検出信号を出力し、フラッシュメモリインターフェース１０７がフラッシュメモリ１１０に格納されたデータを削除し（第２削除ステップ；ステップＤ５０）、ステップＤ６０に移行する。
【００８５】
また、ＰＣ３０ａからアクセス要求が無い場合には（ステップＤ６０のＮＯルート参照）、ステップＤ３０に戻る。
このように、本発明の第２実施形態としてのＵＳＢメモリ１ｄによれば、キャップ２０ｄをＵＳＢコネクタ１７から取り外してから第３の所定時間が経過した時に、削除部２１が、記憶部１１に格納されたデータを削除するので、例えば、ＵＳＢメモリ１ｄをＰＣ３０ａに挿したまま放置した場合においても、そのＵＳＢメモリ１ｄを取得した第三者がその記憶部１１に格納されたデータを使用等することができず、データの機密性を向上させ、機密情報の漏洩を防止することができる。
【００８６】
また、ＵＳＢメモリ１ｄをＵＳＢコネクタ１７およびＵＳＢポート３１を介してＰＣ３０ａに接続してから第４の所定時間が経過した時に、削除部２１が、記憶部１１に格納されたデータを削除するので、これによっても、データの機密性を向上させ、機密情報の漏洩を防止することができる。
また、ＵＳＢメモリ１ｄをＵＳＢコネクタ１７およびＵＳＢポート３１を介してＰＣ３０ａに接続している間に、ＵＳＢバスパワーにより電池１９の充電を自動的に行なうことにより、電池１９の残量不足の解消することができ利便性が高い。
【００８７】
（Ｅ）第３実施形態の説明
図１１は本発明の第３実施形態としてのＰＣ（情報処理装置，コンピュータ）３０ｅおよびＵＳＢ（Universal Serial Bus）メモリ１ｅの機能構成を模式的に示す図である。
なお、図中、既述の符号と同一の符号は同一もしくは略同一の部分を示しているので、その説明は省略する。
【００８８】
本第３実施形態のＰＣ３０ｅは、ＵＳＢメモリ（電子装置，可搬型記憶装置）１ｅが通信可能に接続されるＵＳＢポート（ＵＳＢコネクタ（メス）；接続部）３１をそなえて構成され、このＵＳＢポート３１にＵＳＢメモリ１ｅのＵＳＢコネクタ（通信部，接続端子）１７を挿入・接続することにより、ＵＳＢメモリ１ｅと通信可能に接続され、このＰＣ３０ｅから、ＵＳＢメモリ１ｅの記憶部１１にデータの読み書きや消去を行なうものである。
【００８９】
また、本第３実施形態のＰＣ３０ｅは、第１実施形態におけるＰＣ３０ａと同様に、図３に示すようなハードウェア構成をそなえて構成されるものであり、その詳細な説明は省略する。
ＵＳＢメモリ１ｅは、図１１に示すように、ＵＳＢコネクタ（通信部，接続端子）１７および記憶部１１をそなえた本体部１０ｅをそなえて構成される他、第１実施形態のＵＳＢメモリ１ａにおけるキャップ２０ａと同様に構成され、ＵＳＢコネクタ１７に脱着可能なキャップ（部品；図示省略）をそなえて構成されている。
【００９０】
ＰＣ３０ｅは、図１１に示すように、ＵＳＢポート３１，接続検出部４５，警告制御部３３，非使用状態検出部３４，使用者検知部３５，タイマ３６，警告部３７，使用者確認部３８，使用者情報取得部３９およびＵＳＢメモリ確認部４０をそなえて構成されている。
接続検出部４５は、ＵＳＢポート３１にＵＳＢメモリ１ｅが接続されたことを検出するものであり、例えば、前述した第１実施形態のＵＳＢメモリ１ａの接続検出部１２と同様にＵＳＢインターフェース等によって実現されるものである。なお、この接続検出部４５によるＵＳＢメモリ１ｅとの接続の検出も、既知の種々の手法を用いて実現することができる。
【００９１】
また、接続検出部４５は、ＰＣ３０ｅにＵＳＢメモリ１ｅが接続されたことを検出すると、タイマ３６に対して、その旨を伝える信号（接続検出信号）を出力するようになっている。
タイマ３６は、接続検出部４５によりＵＳＢメモリ１ｅの接続が検出されてからの、接続状態での経過時間を測定するものであり、前述した第１実施形態のＵＳＢメモリ１ａの第２タイマ１４と同様に、例えばカウンタとして構成されたタイマ１０５（図２参照）によって実現されるものである。
【００９２】
このタイマ３６は、予め設定された所定時間（第２の所定時間）が経過した時に、後述する警告部３７に対して、その旨を通知する信号（第２所定時間検出信号）を出力するようになっている。
使用者確認部３８は、ＰＣ３０ｅを使用・操作している者（使用者）が、当該ＰＣ３０ｅに関する特定権限者であることを確認するものであり、本第３実施形態においては、使用者情報取得部３９によって取得したＰＣ３０ｅの使用者に関する情報（使用者情報）に基づいて、ＰＣ３０ｅの使用者がそのＰＣ３０ｅに関する特定権限者であることを確認するようになっている。
【００９３】
なお、ＰＣ３０ｅに関する特定権限者とは、ＰＣ３０ｅの所有者やＰＣ３０ｅを使用する許可をその所有者等から得ている者等、ＰＣ３０ｅを使用することに何らかの正当性を有する者をいい、この特定権限者に関する情報（特定権限者情報；図示省略）が予めＰＣ３０ｅのＨＤＤ３０５等に登録されるようになっている。すなわち、特定権限者情報が予め登録された者を特定権限者ということもできる。
【００９４】
使用者情報取得部３９は、ＰＣ３０ｅの使用者に関する情報を取得するものであり、使用者確認部３８が、ＰＣ３０ｅの使用者が特定権限者であることを確認するために使用される情報（例えば、パスワード，指紋画像，使用者の顔の画像，スマートカードやフェリカに関する情報）を取得するようになっている。
例えば、使用者確認部３８がパスワード認証を用いて使用者の確認を行なう場合には、パスワードの入力に用いられるキーボード３０６等の入力装置が使用者情報取得部３９として機能する。この場合、使用者確認部３８は、使用者に対してキーボード３０６等を介してパスワードを入力させ、この入力されたパスワードと、予め登録しておいた登録パスワード（特定権限者情報）と一致した場合に、ＰＣ３０ｅの使用者が特定権限者であると認定する。
【００９５】
また、使用者確認部３８が顔認証を行なう場合には、使用者の顔の画像の入力に用いられるカメラが使用者情報取得部３９として機能する。この場合、使用者確認部３８は、使用者の顔等をカメラで撮影して、この撮影した画像に基づいて、予め登録された認証用データ（画像データや特徴データ；特定権限者情報）と比較する。
さらに、使用者確認部３８が指紋認証を行なう場合には、指紋の入力に用いられる指紋センサが使用者情報取得部３９として機能する。この場合、使用者確認部３８は、指紋センサを用いて使用者に指紋を入力させ、この入力された指紋データに基づいて、予め登録しておいた登録指紋データ（特定権限者情報）と比較する。
【００９６】
また、使用者が所持するスマートカードやフェリカカードの情報をカードリーダによって読み取り、予め登録しておいたカード登録情報（特定権限者情報）と比較することにより認証を行なう場合には、カードの情報を読み取りに用いられるカードリーダが使用者情報取得部３９として機能する。
なお、使用者確認部３８による使用者が特定権限者であるか否かの確認手法は、上述した手法に限定されるものではなく、既知の種々の認証技術を用いることができ、かかる認証に際して必要な情報を取得するために用いられる機器等が使用者情報取得部３９に相当する。
【００９７】
そして、使用者確認部３８は、ＰＣ３０ｅの使用者が、当該ＰＣ３０ｅに関する特定権限者であると判断した場合には、後述する警告制御部３３に対して、その旨を示す信号（特定権限者検出信号）を出力するようになっている。
ＵＳＢメモリ確認部４０は、ＰＣ３０ｅに接続されたＵＳＢメモリ１ｅが特定権限者に関するものであるか否かを確認するものである。
【００９８】
なお、ＵＳＢメモリ１ｅが特定権限者に関するものとは、例えば、そのＵＳＢメモリ１ｅがＰＣ３０ｅに関する特定権限者によって使用されるものであることをいう。
ＵＳＢメモリ確認部４０による、ＵＳＢメモリ１ｅが特定権限者に関するものであることの確認は、例えば、先ず、ＰＣ３０ｅのＨＤＤ３０５等に、予め、特定権限者のＵＳＢメモリ１ｅであることを示す管理情報を管理リストとして保存するとともに、ＵＳＢメモリ１ｅの記憶部１１にも同じ管理情報を保存することにより登録処理を行なう。
【００９９】
そして、ＵＳＢメモリ１ｅがＰＣ３０ｅのＵＳＢポート３１に取り付けられると、ＵＳＢメモリ確認部４０が、ＵＳＢメモリ１ｅの記憶部１１に格納された管理情報を読み出し、ＰＣ３０ｅに登録された管理リストの管理情報と照合することにより、ＵＳＢメモリ１ｅが特定権限者に関するものであることを確認する。すなわち、その管理情報が予めＰＣ３０ｅに登録されたＵＳＢメモリ１ｅのことを、特定権限者に関するＵＳＢメモリ１ｅということもできる。
【０１００】
また、ＵＳＢメモリ確認部４０は、ＰＣ３０ｅに接続されたＵＳＢメモリ１ｅが特定権限者に関するものであることを確認した場合には、その旨を示す信号（ＵＳＢメモリ確認信号）を警告制御部３３に出力するようになっている。
使用者検知部３５は、本ＰＣ３０ｅにおける使用者の存在を検知するものであり、例えば各種センサを用いることによって、ＰＣ３０ｅを操作する使用者の存在を検知することができる。
【０１０１】
また、使用者検知部３５は、ＰＣ３０ｅを操作する使用者の存在を検知をした場合に、非使用状態検出部３４にその旨を示す信号（使用者検出信号）を出力するようになっている。
非使用状態検出部３４は、ＰＣ３０ｅの使用者による非使用状態への遷移を検出するものであり、ＰＣ３０ｅが非使用者状態になったことを検出すると、警告制御部３３にその旨を示す信号（非使用状態検出信号）を出力するようになっている。
【０１０２】
この非使用状態検出部３４は、例えば、（１）ＰＣ３０ｅの電源断を検出した場合や、（２）ＰＣ３０ｅの省電力動作モードへの移行を検出した場合、（３）使用者検知部３５において、検知されていた使用者の存在が検知されなくなった場合等の少なくともいずれかの状態を検出した場合に、ＰＣ３０ｅの非使用状態への遷移を検出するようになっている。
【０１０３】
なお、ＰＣ３０ｅにおける電源断の検出や、省電力動作モードへの移行の検出は、既知の種々の手法により実現することができる。
また、非使用状態検出部３４によるＰＣ３０ｅの非使用状態への遷移の検出手法は、上述した手法に限定されるものではなく、種々変形して実施することができる。
例えば、ＰＣ３０ｅにおいて、キーボード３０６やマウス３０７から所定時間連続して入力操作が行なわれない場合に、ＰＣ３０ｅにおいて使用者がいないと判断してもよく、この場合、ＰＣ３０ｅのＣＰＵ３０１が使用者検知部３５として機能するものである。
【０１０４】
警告部３７は、ＰＣ３０ｅの使用者に警告を行なうものであり、第１実施形態の警告部１５と同様もしくは略同様の構成をそなえ、例えば、ブザー回路によって実現されるものである。
この警告部３７は、タイマ３６により所定時間（第２の所定時間）が経過したことを検出された場合に警告を行なうようになっており、具体的には、タイマ３６から第２所定時間検出信号を受信すると警告を行なうようになっている。
【０１０５】
また、警告部３７は、非使用状態検出部３４がＰＣ３０ｅの非使用状態への遷移を検出したときに警告を行なうようになっており、具体的には、非使用状態検出部３４から非使用状態検出信号を受信したときに、警告を行なうようになっている。
警告制御部３３は、警告部３７による警告を抑止するものであり、ＰＣ３０ｅの使用者がＵＳＢメモリ１ｅに関する特定権限者である場合に、警告部３７による警告を抑止するようになっている。具体的には、警告制御部３３は、使用者確認部３８から特定権限者検出信号を受信すると、タイマ３６により所定時間が経過したことを検出された場合であっても、警告部３７による警告を抑止するようになっている。
【０１０６】
また、警告制御部３３は、ＵＳＢメモリ確認部４０により、ＰＣ３０ｅに接続されたＵＳＢメモリ１ｅが特定権限者に関するものであると確認された場合、すなわち、ＵＳＢメモリ確認部４０からＵＳＢメモリ確認信号を受信したときに、タイマ３６により所定時間が経過したことを検出された場合であっても、警告部３７による警告を抑止するようになっている。
【０１０７】
上述の如く構成された、本発明の第３実施形態としてのＰＣ３０ｅにおいては、予め、ＵＳＢメモリ１ｅの記憶部１１に管理情報を設定（格納）するとともに、その管理情報をＰＣ３０ｅの管理リストに登録しておく。
そして、ＵＳＢメモリ１ｅがＰＣ３０ｅのＵＳＢポート３１に挿入されると、ＰＣ３０ｅにおいて、ＵＳＢメモリ確認部４０が、ＵＳＢポート３１およびＵＳＢコネクタ１７を介してＵＳＢメモリ１ｅの記憶部１１にアクセスして管理情報を取得し、予め、ＨＤＤ３０５等に格納されている管理リストと比較して、ＰＣ３０ｅに接続されたＵＳＢメモリ１ｅが特定権限者に関するものであるか否かを確認する。
【０１０８】
ＵＳＢメモリ確認部４０は、ＰＣ３０ｅに接続されたＵＳＢメモリ１ｅが特定権限者に関するものである場合には、ＵＳＢメモリ確認信号を警告制御部３３に出力する。
また、使用者確認部３８は、使用者情報取得部３９によって取得された使用者情報に基づいて、使用者がそのＰＣ３０ｅに関する特定権限者であることを確認し、ＰＣ３０ｅを使用・操作している者（使用者）が、そのＰＣ３０ｅに関する特定権限者であると判断した場合には、警告制御部３３に対して特定権限者検出信号を出力する。
【０１０９】
接続検出部４５は、ＵＳＢポート３１にＵＳＢメモリ１ｅが接続されたことを検出すると（接続検出ステップ）、タイマ３６に対して、その旨を伝える信号（接続検出信号）を出力し、タイマ３６は、接続検出部４５によりＵＳＢメモリ１ｅの接続が検出されてからの、接続状態での経過時間を測定する（測定ステップ）。そして、タイマ３６は、予め設定された所定時間（第２の所定時間）が経過した時に、警告部３７に対して第２所定時間検出信号を出力する。
【０１１０】
また、非使用状態検出部３４は、使用者検知部３５からの情報等に基づいてＰＣ３０ｅが非使用状態になったことを検出すると（非使用状態検出ステップ）、警告制御部３３に非使用状態検出信号を出力する。
第２所定時間検出信号や非使用状態検出信号を受信した警告部３７は、警告を行なうのであるが（警告ステップ）、警告制御部３３がＵＳＢメモリ確認信号や特定権限者検出信号を受信した場合には、この警告制御部３３が、警告部３７による警告を抑止するよう制御を行なう（警告制御ステップ）。
【０１１１】
このように、本発明の第３実施形態としてのＰＣ３０ｅによれば、ＵＳＢメモリ１ｅをＵＳＢコネクタ１７およびＵＳＢポート３１を介してＰＣ３０ｅに接続してから第２の所定時間が経過した時や、ＰＣ３０ｅが非使用者状態になった時に、警告部３７が警告を行なうので、これにより、ＵＳＢメモリ１ｅの使用者に対して、ＵＳＢメモリ１ｅを使用中であることを認識させることができ、ＵＳＢメモリ１ｅをＰＣ３０ｅに挿したまま放置することを防止し、ＵＳＢメモリ１ｅの置き忘れの発生を防止することができる。
【０１１２】
また、使用者確認部３８が、ＰＣ３０ｅの使用者が、そのＰＣ３０ｅに関する特定権限者であると判断した場合や、ＵＳＢメモリ確認部４０が、ＰＣ３０ｅに接続されたＵＳＢメモリ１ｅが特定権限者に関するものであると判断した場合に、警告制御部３３が、警告部３７による警告を抑止することにより、ＵＳＢメモリ１ｅをＵＳＢコネクタ１７およびＵＳＢポート３１を介してＰＣ３０ｅに接続してから第２の所定時間が経過した時や、ＰＣ３０ｅが非使用者状態になった時であっても、警告部３７が警告を行なうことがないので、使用者が警告を受けて煩雑に感じることが無く利便性が高い。
【０１１３】
さらに、使用者情報取得部３９が使用者情報を取得することにより、使用者確認部３８が、容易かつ確実に使用者がそのＰＣ３０ｅに関する特定権限者であることを確認することができる。
（Ｆ）第４実施形態の説明
図１２は本発明の第４実施形態としてのＵＳＢ（Universal Serial Bus）メモリ１ｆの機能構成を模式的に示す図である。
【０１１４】
本第４実施形態のＵＳＢメモリ（電子装置，可搬型記憶装置）１ｆは、第１実施形態のＵＳＢメモリ１ａと同様に、ＵＳＢコネクタ１７をＰＣ３０ａ（図３参照）のＵＳＢポート３１に挿入・接続することにより、ＰＣ３０ａと通信可能に接続され、このＰＣ３０ａから、記憶部１１にデータの読み書きや消去が行なわれるものであり、図１２に示すように、ＵＳＢコネクタ（通信部，接続端子）１７や記憶部１１をそなえた本体部１０ｆと、第１実施形態のＵＳＢメモリ１ａのキャップ２０ａと同様に構成され、ＵＳＢコネクタ１７に脱着可能に構成されたキャップ（部品）２０ｆとをそなえて構成されている。
【０１１５】
本第４実施形態のＵＳＢメモリ（電子装置，可搬型記憶装置）１ｆは、図１２に示すように、第１実施形態のＵＳＢメモリ１ａに、警告制御部３３，使用者確認部３８およびＵＳＢメモリ確認部４０をそなえるものであり、その他の部分は第１実施形態のＵＳＢメモリ１ａと同様に構成されている。
なお、図中、既述の符号と同一の符号は同一もしくは略同一の部分を示しているので、その詳細な説明は省略する。
【０１１６】
本第４実施形態のＵＳＢメモリ１ｆにおいては、上述した第１実施形態のＵＳＢメモリ１ａと同様に、キャップ２０ｆをＵＳＢコネクタ１７から取り外してから第１の所定時間が経過した時や、ＵＳＢメモリ１ｆをＵＳＢコネクタ１７およびＵＳＢポート３１を介してＰＣ３０ａに接続してから第２の所定時間が経過した時に、警告部１５が、本ＵＳＢメモリ１ｆの使用者に対して警告を行なう。
【０１１７】
さらに、本第４実施形態のＵＳＢメモリ１ｆにおいては、上述した第３実施形態のＰＣ３０ｅと同様に、使用者確認部３８が、使用者がＰＣ３０ａに関する特定権限者であることを確認し、ＰＣ３０ａの使用者が、そのＰＣ３０ａに関する特定権限者であると判断した場合や、ＵＳＢメモリ確認部４０が、ＰＣ３０ａに接続されたＵＳＢメモリ１ｆが特定権限者に関するものであると判断した場合に、警告制御部３３が、警告部１５による警告を抑止する。
【０１１８】
これにより、上述の如く、ＵＳＢメモリ１ｆがＵＳＢコネクタ１７およびＵＳＢポート３１を介してＰＣ３０ａに接続されてから第２の所定時間が経過した時や、ＰＣ３０ａが非使用者状態になった時であっても、警告部１５が警告を行なわないので、使用者が警告を受けて煩雑に感じることが無く利便性が高い。
このように、本発明の第４実施形態としてのＵＳＢメモリ１ｆによれば、上述した第１実施形態および第３実施形態と同様の作用効果を得ることができる。
【０１１９】
（Ｇ）第５実施形態の説明
図１３は本発明の第５実施形態としてのＵＳＢ（Universal Serial Bus）メモリ１ｇおよびこのＵＳＢメモリ１ｇを接続して使用するＰＣ（情報処理装置，コンピュータ）３０ｇの機能構成を模式的に示す図である。
本第５実施形態のＵＳＢメモリ（電子装置，可搬型記憶装置）１ｇおよびＰＣ３０ｇにおいても、第１実施形態のＵＳＢメモリ１ａと同様に、ＵＳＢメモリ１ｇのＵＳＢコネクタ１７をＰＣ３０ｇのＵＳＢポート３１に挿入・接続することにより、ＵＳＢメモリ１ｇがＰＣ３０ｇと通信可能に接続され、このＰＣ３０ｇからＵＳＢメモリ１ｇの記憶部１１にデータの読み書きや消去が行なわれるものである。
【０１２０】
本第５実施形態のＰＣ３０ｇは、図１３に示すように、ＵＳＢポート（ＵＳＢコネクタ（メス）；接続部）３１と保存部３２とをそなえて構成されている。
なお、本ＰＣ３０ｇは、第１実施形態のＰＣ３０ａと同様に、図３に示すようなハードウェア構成をそなえて構成されるものであり、その詳細な説明は省略する。
保存部３２は、種々のデータを保存するものであって、後述する複写制御部２２の制御に従って、記憶部１１に格納されたデータを保存するようになっている。この保存部３２は、例えば、図３におけるＨＤＤ３０５やＲＡＭ３０３等の記憶装置によって構成される。
【０１２１】
ＵＳＢメモリ１ｇの本体部１０ｇは、図１３に示すように、図８に示した第２実施形態のＵＳＢメモリ１ｄの本体部１０ｄに、複写制御部２２，複写禁止部４１，アクセス禁止部４２，非使用状態検出部３４および使用者検知部３５をそなえて構成されている。
ＵＳＢメモリ１ｇは、図１３に示すように、ＵＳＢコネクタ（通信部，接続端子）１７および記憶部１１をそなえた本体部１０ｇをそなえて構成される他、第１実施形態のＵＳＢメモリ１ａにおけるキャップ２０ａと同様に構成され、ＵＳＢコネクタ１７に脱着可能なキャップ（部品；図示省略）をそなえて構成されている。
【０１２２】
なお、図中、既述の符号と同一の符号は同一もしくは略同一の部分を示しているので、その説明は省略する。
第１タイマ１３は、スイッチ１６によりキャップの脱状態が検出されてからの、キャップの脱状態での経過時間を測定するものであり、キャップの脱状態で予め設定された第５の所定時間（第１の所定時間）を経過したことを検出すると、後述する複写制御部２２に対して、その旨を示す信号（第５所定時間検出信号）を出力するようになっている。
【０１２３】
また、第１タイマ１３は、キャップの脱状態で予め設定された第６の所定時間（第２の所定時間）を経過したことを検出すると、削除部２１に対して、その旨を示す信号（第６所定時間検出信号）を出力するようになっている。
なお、この第５の所定時間は第６の所定時間よりも短いものであり、これにより、削除部２１によって記憶部１１のデータが削除される前に、そのデータのバックアップを行なうことができるのである。
【０１２４】
また、第２タイマ１４は、接続検出部１２によりＵＳＢコネクタ１７がＰＣ３０ｇに接続されたことを検出してから、予め設定された第７の所定時間（第４の所定時間）が経過したことを検出すると、削除部２１に対して、その旨を示す信号（第７所定時間検出信号）を出力するようになっている。
非使用状態検出部３４は、使用者検知部３５からの情報等に基づいてＰＣ３０ｇが非使用状態になったことを検出すると、削除部２１に非使用状態検出信号を出力するようになっている。
【０１２５】
複写制御部２２は、ＵＳＢメモリ１ｇの記憶部１１に格納されたデータをＰＣ３０ｇにそなえられた保存部３２に複写（バックアップ）させるように制御を行なうものであり、第１タイマ１３から第５所定時間検出信号を受信した場合、すなわち、第１タイマ１３により第５の所定時間が経過したことを検出された場合に、ＵＳＢメモリ１ｇの記憶部１１に格納されたデータをＰＣ３０ｇにそなえられた保存部３２に複写させることにより、ＵＳＢメモリ１ｇの記憶部１１に格納されているデータを保存部３２にバックアップするようになっている。
【０１２６】
この複写制御部２２は、ＵＳＢメモリ１ｇの記憶部１１のデータのバックアップを行なう際に、先ず、ＰＣ３０ｇに対して、記憶部１１の情報容量を通知するとともに、その転送先（格納先；アドレス）を問い合わせる（転送先およびメモリ容量の確保）。そして、ＰＣ３０ｇがこの問い合わせに応答して、転送先の情報を複写制御部２２に送信（通知）すると、複写制御部２２は、その通知された転送先（保存部３２）にデータを転送して保存させる。
【０１２７】
なお、ＰＣ３０ｇのＨＤＤ３０５等において、バックアップ用のデータを格納するための十分な容量が無い場合には、ＰＣ３０ｇは、転送先が無い旨を示す情報をＵＳＢメモリ１ｇ（複写制御部２２）に返信する。なお、この際、ＰＣ３０ｇが、そのディスプレイ３０４に、バックアップ機能が使用不能である旨を示すメッセージを表示させることが望ましい。
【０１２８】
また、ＵＳＢメモリ１ｇの記憶部１１には、データの保存部３２へのバックアップが完了した旨を示す情報（バックアップ転送済フラグ）を、そのデータを特定するための情報（例えば、ファイル名等）に関連付けて設定・保存することができるようになっており、複写制御部２２は、記憶部１１のデータの保存部３２へのバックアップを完了すると、このバックアップ転送済フラグに“１”を設定するようになっている。
【０１２９】
なお、このバックアップ転送済フラグは、記憶部１１に格納されている個々のデータに対してそれぞれ設定してもよく、又、記憶部１１に格納されている複数のデータに対して一のバックアップ転送済フラグを設定してもよい。
さらに、例えば、記憶部１１には、記憶部１１のデータが削除部２１によって削除された場合に、削除部２１によって削除された旨を示す情報（ＵＳＢメモリ消去済フラグ）を、そのデータを特定するための情報（例えば、ファイル名等）に関連付けて設定・保存することができるようになっており、削除部２１は、記憶部１１のデータを削除すると、このＵＳＢメモリ消去済フラグに“１”を設定するようになっている。
【０１３０】
複写禁止部４１は、複写制御部２２による保存部３２へのデータの複写を禁止するものであり、例えば、ＰＣ３０ｇが、ＵＳＢメモリ１ｇに特定の関係を有する特定関係者に関するものではない場合に、複写制御部２２による保存部３２へのデータの複写を禁止するようになっている。
また、ＰＣ３０ｇが、ＵＳＢメモリ１ｇに特定の関係を有する特定関係者に関するものであるか否かの確認は、例えば、ＵＳＢメモリ１ｇにＰＣ３０ｇを認証するための指紋やＩＤパスワード等を予め登録しておき、ＵＳＢメモリ１ｇからＰＣ３０ｇにアクセスして、このＰＣ３０ｇから認証のための指紋やＩＤパスワード等を取得し、ＰＣ３０ｇから取得したこれらの情報と、予め登録された指紋やＩＤパスワード等とを照合することにより行なう。
【０１３１】
さらに、複写禁止部４１は、ＵＳＢメモリ１ｇの使用者がそのＵＳＢメモリ１ｇに特定の関係を有する特定関係者ではない場合にも、複写制御部２２による保存部３２へのデータの複写を禁止するようになっている。
ＵＳＢメモリ１ｇに特定の関係を有する特定関係者とは、例えば、ＵＳＢメモリ１ｇの使用者や、ＰＣ３０ｇの所有者や、ＵＳＢメモリ１ｇを使用する許可をその所有者等から得ている者等、ＵＳＢメモリ１ｇを使用することに何らかの正当性を有する者をいう。
【０１３２】
そして、ＵＳＢメモリ１ｇの使用者がそのＵＳＢメモリ１ｇの特定関係者であるか否かの確認には、既知の種々の手法を用いることができる。例えば、上記特許文献１に示すように、ＵＳＢメモリ１ｇの記憶部１１等にその特定関係者の指紋データを予め登録しておき、ＵＳメモリ１ｇの使用時に使用者の指紋認証を行ない、読み取った指紋データを予め登録しておいた登録指紋データと照合することにより行なう。
【０１３３】
削除部２１は、記憶部１１に格納されたデータを削除するものであって、第１タイマ１３から第６所定時間検出信号を受信した場合、すなわち、第６の所定時間（第２の所定時間）が経過したことを検出された場合や、第２タイマ１４から第７所定時間検出信号を受信した場合、すなわち、第７の所定時間が経過したことを検出された場合に、記憶部１１に格納されたデータを削除するものである。
【０１３４】
また、削除部２１は、記憶部１１に格納されたデータが複写制御部２２によってＰＣ３０ｇの保存部３２へ複写されている場合に、記憶部１１に格納されたデータを削除するようになっている。具体的には、削除部２１は、記憶部１１に設定されたバックアップ転送済フラグに“１”が設定されている場合に、記憶部１１における、バックアップ転送済フラグに“１”が設定されたデータを削除するようになっている。
【０１３５】
さらに、削除部２１は記憶部１１に格納されたデータを削除した場合には、記憶部１１のデータの削除を完了すると、記憶部１１における削除したデータについて、ＵＳＢメモリ消去済フラグに“１”を設定するようになっている。
なお、削除部２１は、ＰＣ３０ｇの使用者がそのＰＣ３０ｇに特定の関係を有する特定関係者である場合にのみ、記憶部１１に格納されたデータを削除してもよい。
【０１３６】
アクセス禁止部４２は、ＰＣ３０ｇからの記憶部１１へのアクセスを禁止するものである。このアクセス禁止部は、ＰＣ３０ｇの使用者がＰＣ３０ｇに特定の関係を有する特定関係者ではない場合に、ＰＣ３０ｇからの記憶部１１へのアクセスを禁止するようになっている。
また、アクセス禁止部４２は、ＵＳＢメモリ１ｇの使用者がそのＵＳＢメモリ１ｇに特定の関係を有する特定関係者ではない場合に、ＰＣ３０ｇからの記憶部１１へのアクセスを禁止するようになっている。
【０１３７】
上述の如く構成された、本発明の第５実施形態のＵＳＢメモリ１ｇにおいて、ＵＳＢメモリ１ｇのＵＳＢコネクタ１７からキャップが取り外されると、キャップ検出スイッチ１０９がこれを検出し（検出ステップ）、ＵＳＢメモリ１ｇの本体部１０ｇに電源が投入されるとともに、本体部１０ｇにおける各部の初期化処理が行なわれる。
そして、第１タイマ１３が、スイッチ１６によりキャップの脱状態が検出されてからの、キャップの脱状態での経過時間を測定する（測定ステップ）。
【０１３８】
ＵＳＢメモリ１ｇがＰＣ３０ｇのＵＳＢポート３１に接続されると、ＵＳＢインターフェース１０６（接続検出部１２）が、ＵＳＢコネクタ１７を介して本体部１０ｇがＰＣ３０ｇのＵＳＢポート３１に接続（ＵＳＢ接続）されたことを検出し、第２タイマ１４により、ＵＳＢコネクタ１７がＰＣ３０ａに接続された状態での経過時間が測定（カウントダウン）される。
【０１３９】
第１タイマ１３は、キャップの脱状態で予め設定された第５の所定時間が経過したことを検出すると、第５所定時間検出信を複写制御部２２に対して出力する。
第１タイマ１３から第５所定時間検出信を受信した複写制御部２２は、ＵＳＢメモリ１ｇの記憶部１１に格納されたデータをＰＣ３０ｇにそなえられた保存部３２に複写させる（バックアップを行なわせる）よう制御を行なう。
【０１４０】
具体的には、複写制御部２２が、ＰＣ３０ｇに対して、記憶部１１の情報容量を通知するとともに、その転送先を問い合わせる。複写制御部２２は、ＰＣ３０ｇからの回答に基づいてデータ転送（複写）を行なう（複写ステップ）。又、この際、バックアップデータの転送先や転送したデータ量（転送量）を、転送したデータを識別する情報（例えば、ファイル名）に対応させて保持しておく。
【０１４１】
ＰＣ３０ｇにおいては、ＵＳＢメモリ１ｇから転送されたデータを保存部３２に格納するとともに、転送が完了した旨を示す信号（完了報告）をＵＳＢメモリ１ｇに送信し、一方、複写制御部２２はバックアップ転送済フラグに“１”を設定する。
その後、削除部２１が、記憶部１１に格納されたそのデータを削除し（削除ステップ）、記憶部１１における削除したデータについて、ＵＳＢメモリ消去済フラグに“１”を設定する。
【０１４２】
また、第1タイマ１３は、キャップの脱状態で予め設定された第６の所定時間が経過したことを検出すると、第６所定時間検出信号を削除部２１に対して出力し、第２タイマ１４も、ＵＳＢコネクタ１７がＰＣ３０ａに接続されてから、予め設定された第７の所定時間が経過したことを検出すると、削除部２１に対して第７所定時間検出信号を出力する。
さらに、非使用状態検出部３４は、使用者検知部３５からの情報等に基づいてＰＣ３０ｇが非使用状態になったことを検出すると、削除部２１に非使用状態検出信号を出力する。
【０１４３】
削除部２１は、これらの第６所定時間検出信号や、第７所定時間検出信号，非使用状態検出信号を受信すると、記憶部１１に格納されているデータの削除を行なう。
ＰＣ３０ｇにおいては、バックアップ転送済フラグを見ることにより、そのデータのバックアップが完了したか否かを確認することができ、又、ＵＳＢメモリ消去済フラグを見ることにより、ＵＳＢメモリ１ｇからそのデータの消去が完了したか否かを確認することができる。
【０１４４】
また、複写制御部２２は、ＵＳＢメモリ１ｇの記憶部１１に格納されたデータをＰＣ３０ｇにそなえられた保存部３２に複写させる際において、複写禁止部４１が、例えば、ＰＣ３０ｇが、ＵＳＢメモリ１ｇに特定の関係を有する特定関係者に関するものではないと認定した場合や、ＵＳＢメモリ１ｇの使用者がそのＵＳＢメモリ１ｇに特定の関係を有する特定関係者ではないと認定した場合に、複写制御部２２による保存部３２へのデータの複写を禁止する。
【０１４５】
さらに、アクセス禁止部４２は、ＰＣ３０ｇの使用者がＰＣ３０ｇに特定の関係を有する特定関係者ではないと認定した場合に、ＰＣ３０ｇからの記憶部１１へのアクセスを禁止する。
また、複写制御部２２によってＰＣ３０ｇの保存部３２にバックアップされたデータを、ＵＳＢメモリ１ｇに復旧する場合には、例えば、オペレータがＰＣ３０ｇのキーボード３０６やマウス３０７を用いて、復旧指示の入力を行なう。
【０１４６】
このようなデータの復旧指示が行なわれた場合には、ＵＳＢメモリ１ｇは、記憶部１１からそのデータの転送先と容量を取得し、これらの情報に基づいて保存部３２から復元するデータを取得し、ＵＳＢメモリ１ｇ（記憶部１１）に転送することにより、バックアップしたデータを元に戻すことができる。このように、データ復元が行なわれた場合には、バックアップ転送済フラグとＵＳＢメモリ消去済フラグがいずれも“０”の状態となる。
【０１４７】
このように、本発明の第５実施形態としてのＵＳＢメモリ１ｇおよびＰＣ３０ｇによれば、第２実施形態と同様の作用効果を得ることができる他、複写制御部２２が、ＵＳＢメモリ１ｇの記憶部１１のデータをＰＣ３０ｇの保存部３２に複写（バックアップ）するので、ＵＳＢメモリ１ｇに格納されたデータの喪失を防止することができる。
また、この際、複写禁止部４１が、例えば、ＰＣ３０ｇが、ＵＳＢメモリ１ｇに特定の関係を有する特定関係者に関するものではないと認定した場合や、ＵＳＢメモリ１ｇの使用者がそのＵＳＢメモリ１ｇに特定の関係を有する特定関係者ではないと認定した場合に、複写制御部２２による保存部３２へのデータの複写を禁止するので、例えば、第三者が不正にＵＳＢメモリ１ｇやＰＣ３０ｇを使用した場合に、ＵＳＢメモリ１ｇの記憶部１１に格納されたデータがＰＣ３０ｇにバックアップされることがなく、第三者による不正使用を防止し、データの機密性を向上させることができる。
【０１４８】
さらに、アクセス禁止部４２は、ＰＣ３０ｇの使用者がＰＣ３０ｇに特定の関係を有する特定関係者ではないと認定した場合に、ＰＣ３０ｇからの記憶部１１へのアクセスを禁止するので、これによっても、ＵＳＢメモリ１ｇの記憶部１１に格納されたデータの第三者による不正使用を防止し、データの機密性を向上させることができる。
（Ｈ）第６実施形態の説明
図１４は本発明の第６実施形態としてのＵＳＢ（Universal Serial Bus）メモリ１ｈおよびＰＣ（情報処理装置，コンピュータ）３０ｈの機能構成を模式的に示す図である。
【０１４９】
本第６実施形態のＵＳＢメモリ（電子装置，可搬型記憶装置）１ｈおよびＰＣ３０ｈにおいても、上記第１実施形態と同様に、ＵＳＢメモリ１ｈのＵＳＢコネクタ（通信部，接続端子）１７をＰＣ３０ｈのＵＳＢポート３１に挿入・接続することにより、ＵＳＢメモリ１ｈがＰＣ３０ｈと通信可能に接続され、このＰＣ３０ｈからＵＳＢメモリ１ｈの記憶部１１にデータの読み書きや消去が行なわれるものである。
【０１５０】
本第６実施形態のＰＣ３０ｈは、図１４に示すように、図１３に示した第５実施形態のＵＳＢメモリ１ｇの本体部１０ｇにそなえられていた、複写制御部２２，複写禁止部４１，削除部２１，アクセス禁止部４２，第２タイマ１４，接続検出部１２，非使用状態検出部３４および使用者検知部３５を、ＰＣ３０ｈにそなえて構成され、更に、ＰＣ３０ｈに、経過時間取得部４３，保存期限設定部４４，警告部３７および管理部４６をそなえて構成されている。
【０１５１】
また、ＵＳＢメモリ１０ｇは、第１実施形態のＵＳＢメモリ１ａのキャップ２０ａと同様に構成され、ＵＳＢコネクタ１７に脱着可能に構成されたキャップ（部品；図示省略）をそなえて構成されている。
なお、図中、既述の符号と同一の符号は同一もしくは略同一の部分を示しているので、その詳細な説明は省略する。
【０１５２】
また、本第６実施形態のＰＣ３０ｈは、第１実施形態におけるＰＣ３０ａと同様に、図３に示すようなハードウェア構成をそなえて構成されるものであり、その詳細な説明は省略する。
経過時間取得部４３は、記憶部１１もしくは保存部３２に格納されたデータに最後にアクセスしてからの経過時間を取得するものであり、例えば、データにアクセスした日時を管理し、このアクセス時からの経過時間をタイマ（図示省略）を用いて計測したり、又、現在時刻との差を求めることにより経過時間を算出したりすることにより、経過時間を取得するようになっている。
【０１５３】
保存期限設定部４４は、記憶部１１もしくは保存部３２に格納されたデータに保存期限を設定するものである。
ここで、データに保存期限を設定する具体的手法としては、例えば、ＵＳＢメモリ１ｈの内部に設けた専用領域に管理表を作って保存期限にかかる情報（保存期限情報）を管理したり、Windows（登録商標）等のＯＳ（Operating System）の標準のファイル属性情報領域に保存期限情報を埋め込むことにより、データに保存期限を設定することができる。
【０１５４】
このように各データに設定した保存期限に基づいて、最も近い未来に保存期限が切れるデータを抽出し、このデータの保存期限をタイマ（図示省略）に設定する。
そして、このタイマにより保存期限切れが通知された時に、そのデータを消去し、続いて次に保存期限が切れるデータの保存期限を新たにタイマに設定する。なお、同時に期限が切れるデータがある場合には、これらの保存期限をずらして設定してもよい。
【０１５５】
また、タイマへ保存期限の設定は、例えば、ＵＳＢメモリ１ｈへの専用コマンドを用いて行なったり、専用領域へのデータ書き込みを流用したりしてもよく、種々の手法を用いることができる。
なお、上述の手法を実現するためには、ＰＣ３０ｈに保存期限を管理するためのソフトウェアをそなえるとともに、ＵＳＢメモリ１ｈにおいても管理用ファームウエアを搭載することが望ましい。
【０１５６】
第２タイマ１４は、接続検出部１２によりＵＳＢコネクタ１７がＰＣ３０ｈに接続されたことを検出してから、予め設定された第８の所定時間（第２の所定時間）が経過したことを検出すると、警告部３７に対して、その旨を示す信号（第８所定時間検出信号）を出力するようになっており、更に、接続検出部１２によりＵＳＢコネクタ１７がＰＣ３０ｈに接続されたことを検出してから、予め設定された第９の所定時間（第１の所定時間）が経過したことを検出すると、削除部２１に対して、その旨を示す信号（第９所定時間検出信号）を出力するようになっている。
【０１５７】
警告部３７は、記憶部１１や保存部３２に格納されたデータにおいて、経過時間取得部４３によって取得された経過時間が、保存期限設定部４４によって設定された保存期限よりも長い（保存期限が切れている）ものがある場合に、警告を行なうようになっている。
また、警告部３７は、第２タイマ１４から第８所定時間検出信号を受信すると、警告を行なうようになっている。
【０１５８】
なお、この警告部３７は、第３実施形態のＵＳＢメモリ１ｅと同様に、第１タイマ１３により、キャップの脱状態で予め設定された第６の所定時間（第２の所定時間）を経過したことが検出されると、警告を行なうようになっている。
また、警告部３７は、第１タイマ１３により、使用者がＵＳＢコネクタ１７からキャップを取り外してからの、キャップ脱状態での経過時間が所定時間以上である場合に、警告を行なってもよい。
【０１５９】
また、本第６実施形態のＰＣ３０ｈにおいては、削除部２１は、記憶部１１や保存部３２に格納されたデータにおいて、経過時間取得部４３によって取得された経過時間が、保存期限設定部４４によって設定された保存期限よりも第９の所定時間（第１の所定時間）以上長いものがある場合に、そのデータを削除するようになっている。
また、上述した保存期限や、削除部２１によって削除を行なうための所定期間は、ユーザがキーボード３０６等を用いて任意に設定することができるようになっている。
【０１６０】
管理部４６は、ＵＳＢメモリ１ｈを特定するための情報を予め登録して管理するものであって、本ＰＣ３０ｈに接続を許可するＵＳＢメモリ１ｈを特定するための情報（識別情報等）を予め登録するようになっている。
具体的には、ＵＳＢメモリ１ｈを予め登録制にしておき、管理部４６において、予め本ＰＣ３０ｈに接続を許可するＵＳＢメモリ１ｈに対して、管理番号や管理ID（IDentification）を割り振り、管理テーブル等として管理する。
【０１６１】
そして、警告部３７は、この管理部４６（管理テーブル）を参照して、管理部４６によって管理されていないＵＳＢメモリ１ｈがＵＳＢポート３１に接続された際に、警告を行なうようになっている。
上述の如く構成された本第６実施形態のＰＣ３０ｈにおいては、ＵＳＢメモリ１ｈがＵＳＢポート３１に接続されると、その記憶部１１に格納されたデータについて、上述の如き保存期限や削除を行なうための所定期間等の管理すべき情報があるか否かを検索する。
【０１６２】
ここで、保存期限や削除を行なうための所定期間が設定されたデータがある場合には、経過時間取得部４３等により、その保存期限が切れていないかを判断し、保存期限が切れている場合には、警告部３７が警告を行なう。
また、経過時間取得部４３によって取得された経過時間が、保存期限よりも所定期間（第９の所定時間）以上長いデータがある場合には、削除部２１がそのデータを削除する。
【０１６３】
さらに、ＵＳＢポート３１にＵＳＢメモリ１ｈが接続されると、ＰＣ３０ｈは、ＵＳＢコネクタ１７，ＵＳＢポート３１を介して、ＵＳＢメモリ１ｈからこのＵＳＢメモリ１ｈの識別情報を取得し、この管理部４６を参照して、ＵＳＢポート３１に接続されたＵＳＢメモリ１ｈが管理部４６によって管理されていない場合に、警告部３７が警告を行なう。
また、このような警告部３７により警告を行なう他、ＰＣ３０ｈのＨＤＤ３０５等へのアクセスを禁止したり、挿入されたＵＳＢメモリを使用不可にしてもよい。
【０１６４】
なお、ＰＣ３０ｈは、ＵＳＢポート３１に接続されたＵＳＢメモリ１ｈが管理部４６によって管理されているものであっても、ＵＳＢポート３１にそのＵＳＢメモリ１ｈが接続されてからの時間を第２タイマ１４により測定し、第８の所定時間が経過したことを検出された場合に警告を行なうようになっており、これにより、ＵＳＢメモリ１ｈのＰＣ３０ｈのＵＳＢポート３１への付け忘れを防止することができる。
【０１６５】
このように、本第６実施形態のＵＳＢメモリ１ｈおよびＰＣ３０ｈによれば、上述した第５実施形態と同様の作用効果を得ることができる他、保存期限が設定されたデータについて、保存期限が切れたデータがある場合には、このデータを削除することにより、これらのデータが流出することを防止することにより、データの機密性を向上させることができる。
【０１６６】
また、保存期限が切れたデータがある場合に、警告を行なうことにより、その旨をオペレータに通知することができ、オペレータがこのデータに対して削除等の最適な処理を行なうことができ、データの機密性を向上させることができ、又、利便性が高い。
さらに、登録されていない（未登録の）ＵＳＢメモリ１ｈがＰＣ３０のＵＳＢポート３１に接続された場合に、警告部３７が警告を行なうので、例えば、他者がこのような未登録のＵＳＢメモリ１ｈを用いてＰＣ３０ｈに格納されているデータを不正に取得することを防止することができ、ＰＣ３０ｈに格納された情報の機密性を高めることができる。
【０１６７】
（Ｉ）その他
そして、情報処理装置（ＰＣ３０ａ，３０ｅ，３０ｇ，３０ｈ）のＣＰＵ（Central Processing Unit）が、管理プログラムを実行することにより、上述した、複写制御部２２，アクセス禁止部４２，複写禁止部４１，削除部２１，経過時間取得部４３，保存期限設定部４４，管理部４６，非使用状態検出部３４，使用者検知部３５，使用者確認部３８，ＵＳＢメモリ確認部４０および警告制御部３３として機能するようになっている。
【０１６８】
なお、これらの複写制御部２２，アクセス禁止部４２，複写禁止部４１，削除部２１，経過時間取得部４３，保存期限設定部４４，管理部４６，非使用状態検出部３４，使用者検知部３５，使用者確認部３８，ＵＳＢメモリ確認部４０および警告制御部３３としての機能を実現するためのプログラム（管理プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【０１６９】
複写制御部２２，アクセス禁止部４２，複写禁止部４１，削除部２１，経過時間取得部４３，保存期限設定部４４，管理部４６，非使用状態検出部３４，使用者検知部３５，使用者確認部３８，ＵＳＢメモリ確認部４０および警告制御部３３としての機能を実現する際には、内部記憶装置（例えば、ＲＡＭ３０３やＲＯＭ３０２）に格納されたプログラムがコンピュータのマイクロプロセッサ（本実施形態ではＣＰＵ３０１）によって実行される。このとき、記録媒体に記録されたプログラムをコンピュータが読み取って実行するようにしてもよい。
【０１７０】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、ＰＣ３０ａ，３０ｅ，３０ｇ，３０ｈがコンピュータとしての機能を有しているのである。
【０１７１】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【０１７２】
また、ＵＳＢメモリ１ａ〜１ｇにおけるプロセッサ１０２が、内部記憶装置（例えば、ＲＡＭ１０３や制御ソフトＲＯＭ１０４）に格納されたＵＳＢメモリ用管理プログラムを実行することにより、上述した、複写制御部２２，アクセス禁止部４２，複写禁止部４１，削除部２１，経過時間取得部４３，保存期限設定部４４，管理部４６，非使用状態検出部３４，使用者検知部３５，使用者確認部３８，ＵＳＢメモリ確認部４０および警告制御部３３として機能するようになっている。
【０１７３】
そして、本発明は上述した実施形態に限定されるものではなく、本発明の趣旨を逸脱しない範囲で種々変形して実施することができる。
例えば、上述した第１実施形態，第３〜第５実施形態およびこれらの変形例においては、警告部１５が、ブザー回路１０８により構成され、特定周波数の警告音を発生させることにより使用者の聴覚に作用する警告を行なう例について説明しているが、これに限定されるものではなく、例えば、振動発生回路により振動を発生させたり、ランプを点灯させる等、聴覚以外の他の五感（視覚、触覚、味覚、嗅覚）に種々の刺激を与える種々の手法により警告を行なってもよい。
【０１７４】
また、第２実施形態のＵＳＢメモリ１ｄに第１実施形態の警告部１５をそなえ、第１タイマ１３によって第１の所定時間が検出されたときや、第２タイマ１４によって第２の所定時間が検出されたときに、削除部２１によって記憶部１１に格納されたデータを削除するに先立って、警告部１５によって警告を行なって、データを削除することを使用者に通知してもよく、これにより、記憶部１１に格納されているデータが削除されることを使用者が予め知ることができ利便性が高い。
【０１７５】
第２実施形態のＵＳＢメモリ１ｄに第１実施形態の警告部１５や電池残量測定部１８をそなえ、電池残量測定部１８により電池１９の電池残量が所定量以下となったことが検出されたときに、警告部１５が警告を行なってもよく、これにより、使用者が電池残量が少なくなったことを知ることができて利便性が高い。
また、上述した第５実施形態および第６実施形態のＵＳＢメモリ１ｇ，１ｈにおいて、非使用状態検出部３４により、ＰＣ３０ｇ，３０ｈの非使用状態への遷移が検出された時に、複写制御部２２が記憶部１１に格納されたデータをＰＣ３０ｇ，３０ｈの保存部３２に複写させたり、ＵＳＢメモリ１ｇ，１ｈの記憶部１１に格納されたデータを、ＰＣ３０ｇ，３０ｈの保存部３２にバックアップし、そのデータをＵＳＢメモリ１ｇ，１ｈの記憶部１１から削除してもよい。
【０１７６】
ここで、非使用状態検出部３４は、ＰＣ３０ｇ，３０ｈの電源断を検出することにより、ＰＣ３０ｇ，３０ｈの非使用状態への遷移を検出してもよく、ＰＣ３０ｇ，３０ｈの省電力動作モードへの移行を検出することにより、ＰＣ３０ｇ，３０ｈの非使用状態への遷移を検出してもよい。
また、上述した各実施形態およびその変形例においては、可搬型記憶装置がＵＳＢメモリである例について説明しているが、これに限定されるものではなく、例えば、IEEE1394（ファイヤワイヤ）規格等の、他の通信プロトコルおよび／またはバス標準規格をサポートする可搬型記憶装置であってもよく、又、メモリ以外の電子装置に適用してもよい。なお、このIEEE 1394も、ＵＳＢと同様に、バスパワーにより電力を供給することができるようになっている。
【０１７７】
また、上述した各実施形態およびその変形例においては、部品がＵＳＢメモリのキャップである例について説明しているが、これに限定されるものではなく、例えば、ＵＳＢメモリやその他の可搬型記録装置、メモリ以外の電子装置本体が収納されるケースも本発明における部品である。
また、上述した各実施形態およびその変形例においては、可搬型記憶装置の通信部が情報処理装置と電気的に接続される接続端子である例について説明しているが、これに限定されるものではなく、例えば、この通信部は可搬型記憶装置と情報処理装置とを無線通信可能にするものであってもよい。この場合は、情報処理装置の接続部も可搬型記憶装置と無線通信可能なもので構成すればよい。
【０１７８】
また、上述した各実施形態およびその変形例において、第１〜第７の各種所定時間のうち、少なくとも一部の所定時間を、ユーザが任意に設定することができるようにしてもよい。
さらに、上述した第６実施形態に示すＰＣ３０ｈに経過時間取得部４３や保存期限設定部４４がそなえられた例について説明しているが、これに限定されるものではなく、他の実施形態およびその変形例にかかるＵＳＢメモリ１ａ，１ｂ，１ｃ，１ｄ，１ｅ，１ｆ，１ｇや、ＰＣ３０ａ，３０ｅ，３０ｇ，３０ｈに、経過時間取得部４３や保存期限設定部４４をそなえてもよい。
【０１７９】
また、上述した第２実施形態のＵＳＢメモリ１ｄや、第５実施形態のＵＳＢメモリ１ｇや第６実施形態のＵＳＢメモリ１ｈにおいて、それぞれ、電池１９に電池残量測定部１８をそなえ、電池１９の残量が所定値以下になったことを検出した場合に、警告部１５により警告を行なってもよい。
なお、本発明の各実施形態が開示されていれば、本発明を当業者によって実施・製造することが可能である。
【０１８０】
（Ｊ）付記
（付記１）
電子装置が通信可能に接続される接続部と、
該接続部に該電子装置が接続されたことを検出する接続検出部と、
該接続検出部により前記電子装置の接続が検出されてからの、接続状態での経過時間を測定するタイマと、
該タイマにより所定時間が経過したことを検出された場合に当該情報処理装置の使用者に警告を行なう警告部と、
をそなえることを特徴とする、情報処理装置。
（付記２）
該警告部による警告を抑止可能な警告制御部をそなえ、
該タイマにより所定時間が経過したことを検出されたときに、該警告制御部は、該情報処理装置の使用者が当該情報処理装置に関する特定権限者である場合は、該警告部による警告を抑止することを特徴とする、付記１記載の情報処理装置。
（付記３）
該使用者による該情報処理装置の非使用状態への遷移を検出する非使用状態検出部をそなえ、
該非使用状態検出部が当該情報処理装置の非使用状態への遷移を検出したときに、該警告部が該警告を行なうことを特徴とする、付記１又は付記２記載の情報処理装置。
（付記４）
該非使用状態検出部が、該情報処理装置の電源断を検出することにより、前記情報処理装置の非使用状態への遷移を検出することを特徴とする、付記３記載の情報処理装置。
（付記５）
該非使用状態検出部が、該情報処理装置の省電力動作モードへの移行を検出することにより、前記情報処理装置の非使用状態への遷移を検出することを特徴とする、付記３又は付記４記載の情報処理装置。
（付記６）
当該情報処理装置における使用者の存在を検知する使用者検知部をそなえ、
該使用者検知部において、検知されていた前記使用者の存在が検知されなくなった場合に、該非使用状態検出部が前記情報処理装置の非使用状態への遷移を検出することを特徴とする、付記３〜付記５のいずれか１項に記載の情報処理装置。
（付記７）
当該情報処理装置の使用者が前記情報処理装置に関する特定権限者であることを確認する第１使用者確認部をそなえることを特徴とする、付記１〜付記６のいずれか１項に記載の情報処理装置。
（付記８）
当該情報処理装置に接続された該電子装置が該特定権限者に関する電子装置である場合には、該警告制御部が、該警告部による警告を抑止することを特徴とする、付記２〜付記７のいずれか１項に記載の情報処理装置。
（付記９）
電子装置が通信可能に接続される接続部をそなえた情報処理装置における管理方法であって、
該接続部に該電子装置が接続されたことを検出する接続検出ステップと、
該接続検出ステップにおいて前記電子装置の接続が検出されてからの、接続状態での経過時間を測定する測定ステップと、
該測定ステップにおいて所定時間が経過したことを検出された場合に当該情報処理装置の使用者に警告を行なう警告ステップと、
をそなえることを特徴とする、管理方法。
（付記１０）
該警告ステップにおける警告を抑止可能な警告制御ステップをそなえ、
該測定ステップにおいて所定時間が経過したことを検出されたときに、該情報処理装置の使用者が当該電子装置に関する特定権限者であることを確認された場合には、該警告制御ステップにおいて該警告ステップにおける警告を抑止することを特徴とする、付記９記載の管理方法。
（付記１１）
該使用者による該情報処理装置の非使用状態への遷移を検出する非使用状態検出ステップをそなえ、
該非使用状態検出ステップにおいて該情報処理装置の非使用状態への遷移を検出したときに、該警告ステップにより該警告を行なうことを特徴とする、付記９又は付記１０記載の管理方法。
（付記１２）
該非使用状態検出ステップにおいて、該情報処理装置の電源断を検出することにより、前記情報処理装置の非使用状態への遷移を検出することを特徴とする、付記１１記載の管理方法。
（付記１３）
該非使用状態検出ステップにおいて、該情報処理装置の省電力動作モードへの移行を検出することにより、前記情報処理装置の非使用状態への遷移を検出することを特徴とする、付記１１又は付記１２記載の管理方法。
（付記１４）
当該情報処理装置における使用者の存在を検知する使用者検知ステップをそなえ、
該使用者検知ステップにおいて検知されていた前記使用者の存在が検知されなくなった場合に、該非使用状態検出ステップにおいて前記情報処理装置の非使用状態への遷移を検出することを特徴とする、付記１１〜付記１３のいずれか１項に記載の管理方法。
（付記１５）
当該情報処理装置の使用者が該特定権限者であることを確認する使用者確認ステップをそなえることを特徴とする、付記１１〜付記１４のいずれか１項に記載の管理方法。
（付記１６）
電子装置が通信可能に接続される接続部をそなえたコンピュータに管理機能を実行させる管理プログラムであって、
該接続部に該電子装置が接続されたことを検出する接続検出ステップと、
該接続検出ステップにおいて前記電子装置の接続が検出されてからの、接続状態での経過時間を測定する測定ステップと、
該測定ステップにおいて所定時間が経過したことを検出された場合に前記情報処理装置の使用者に警告を行なう警告ステップと、
を該コンピュータに実行させることを特徴とする、管理プログラム。
（付記１７）
該警告ステップにおける警告を抑止可能な警告制御ステップをそなえ、
該測定ステップにおいて所定時間が経過したことを検出されたときに、該情報処理装置の使用者が当該電子装置に関する特定権限者であることを確認された場合には、該警告制御ステップにおいて該警告ステップにおける警告を抑止することを特徴とする、付記１６記載の管理プログラム。
（付記１８）
該使用者による該情報処理装置の非使用状態への遷移を検出する非使用状態検出ステップを該コンピュータに実行させるとともに、
該非使用状態検出ステップを該コンピュータに実行させる際に、該情報処理装置の非使用状態への遷移を検出したときに、該警告ステップにより該警告を行なうことを特徴とする、付記１６又は付記１７記載の管理プログラム。
（付記１９）
該非使用状態検出ステップを該コンピュータに実行させる際に、該情報処理装置の電源断を検出することにより、前記情報処理装置の非使用状態への遷移を検出することを特徴とする、付記１８記載の管理プログラム。
（付記２０）
該非使用状態検出ステップを該コンピュータに実行させる際に、該情報処理装置の省電力動作モードへの移行を検出することにより、前記情報処理装置の非使用状態への遷移を検出することを特徴とする、付記１８又は付記１９記載の管理プログラム。
（付記２１）
当該情報処理装置における使用者の存在を検知する使用者検知ステップを該コンピュータに実行させるとともに、
該使用者検知ステップにおいて検知されていた前記使用者の存在が検知されなくなった場合に、該非使用状態検出ステップにおいて前記情報処理装置の非使用状態への遷移を検出するように該コンピュータを機能させることを特徴とする、付記１８〜付記２０のいずれか１項に記載の管理プログラム。
（付記２２）
当該情報処理装置の使用者が該特定権限者であることを確認する使用者確認ステップとして、該コンピュータを機能させることを特徴とする、付記１６〜付記２１のいずれか１項に記載の管理プログラム。
（付記２３）
情報処理装置に通信可能に接続するための通信部をそなえた電子装置であって、
当該電子装置が該通信部を介して該情報処理装置に接続されたことを検出する接続検出部と、
該接続検出部により該通信部が該情報処理装置に接続されたことを検出してからの、接続状態での経過時間を測定するタイマと、
該タイマにより所定時間が経過したことを検出されたときに、該電子装置の使用者に警告を行なう警告部と、
をそなえることを特徴とする、電子装置。
（付記２４）
該警告部による警告を抑止可能な警告制御部をそなえ、
該タイマにより所定時間が経過したことを検出されたときに、該情報処理装置の使用者が該電子装置に関する特定権限者である場合には、該警告制御部が、該警告部による警告を抑止することを特徴とする、付記２３記載の電子装置。
（付記２５）
当該情報処理装置の使用者が前記情報処理装置に関する特定権限者であることを確認する使用者確認部をそなえることを特徴とする、付記２４記載の電子装置。
（付記２６）
当該電子装置が該特定権限者に関する電子装置である場合には、該警告制御部が、該警告部による警告を抑止することを特徴とする、付記２４又は付記２５記載の電子装置。
【産業上の利用可能性】
【０１８１】
ＵＳＢやIEEE1394（ファイヤワイヤ）等、種々の規格で情報処理装置に通信可能に接続される種々の可搬型記憶装置器の管理に適用できる。
【符号の説明】
【０１８２】
１ａ，１ｂ，１ｃ，１ｄ，１ｅ，１ｆ，１ｇ，１ｈ    ＵＳＢメモリ（電子装置，可搬型記憶装置）
１０ａ，１０ｂ，１０ｃ，１０ｄ，１０ｅ，１０ｆ，１０ｇ，１０ｈ    本体部
１１    記憶部
１２，４５    接続検出部
１３，１３−１，１３−２    第１タイマ（タイマ）
１４    第２タイマ
１５，１５−１，１５−２，３７    警告部
１６，１６−１，１６−２    スイッチ（センサ）
１７    ＵＳＢコネクタ（通信部，接続端子）
１８，１８−１，１８−２    電池残量測定部
１９，１９−１，１９−２    電池
２０ａ，２０ｂ，２０ｃ，２０ｄ，２０ｆ    キャップ（部品）
３０ａ，３０ｅ，３０ｇ，３０ｈ    ＰＣ（情報処理装置，コンピュータ）
３２    保存部
３３    警告制御部
３４    非使用状態検出部
３５    使用者検知部
３６    タイマ
３８    使用者確認部
３９    使用者情報取得部
４０    ＵＳＢメモリ確認部
４１    複写禁止部
４２    アクセス禁止部
４３    経過時間取得部
４４    保存期限設定部
４６    管理部
１０１    マイコン
１０２    プロセッサ
１０３    ＲＡＭ
１０４    制御ソフトＲＯＭ
１０５    タイマ
１０６    ＵＳＢインターフェース
１０７    フラッシュメモリインターフェース
１０８    ブザー回路
１０９    キャップ検出スイッチ
１１０    フラッシュメモリ
１１２    電源回路
１１３    充電回路
１９１    電極
２０１    取り付け口
３０１    ＣＰＵ
３０２    ＲＯＭ
３０３    ＲＡＭ
３０４    ディスプレイ
３０５    ＨＤＤ（保存部）
３０６    キーボード
３０７    マウス
３０８    ＵＳＢコントローラ
【図１】
2011034577.tif 000003
【図２】
2011034577.tif 000004
【図３】
2011034577.tif 000005
【図４】
2011034577.tif 000006
【図５】
2011034577.tif 000007
【図６】
2011034577.tif 000008
【図７】
2011034577.tif 000009
【図８】
2011034577.tif 000010
【図９】
2011034577.tif 000011
【図１０】
2011034577.tif 000012
【図１１】
2011034577.tif 000013
【図１２】
2011034577.tif 000014
【図１３】
2011034577.tif 000015
【図１４】
2011034577.tif 000016